(57)【要約】      （修正有）【課題】屋内の通信端末やオフィス機器等において、ユーザがジョブ処理の予約を行っていた場合に、他のユーザにジョブ処理の混雑を正確に伝えることができる方法を提供する。【解決手段】位置情報管理システム９の判断部は、ジョブ処理を行うジョブ処理装置（管理対象物）の位置の管理に用いられる第１の通信端末（通信端末）の位置を示す第１の位置情報と、ユーザの位置の管理に用いられる第２の通信端末（通信端末５ｈ）の位置を示す第２の位置情報が同じか否かにより、ジョブ処理装置が設置されているエリア内にユーザが入っているか否かを判断する（Ｓ１０６）。更に、判断部は、ユーザがエリア内に入っていると判断した場合に、ユーザによるジョブ処理の予約状況を示す予約状況情報に基づき、ユーザによるジョブ処理の予約が行われていたかを判断する（Ｓ１１０）。【選択図】図２８
2015001883.tif 000002
【特許請求の範囲】
【請求項１】
配信装置から配信された当該配信装置の位置を示す位置情報を受信した通信端末によって送信された前記位置情報を管理する位置情報管理システムであって、
ジョブ処理を行うジョブ処理装置の位置の管理に用いられる第１の通信端末の位置を示す第１の位置情報と、ユーザの位置の管理に用いられる第２の通信端末の位置を示す第２の位置情報とが同じかを判断する第１の判断手段と、
前記第１の判断手段によって同じであると判断された場合に、前記ユーザによるジョブ処理の予約状況を示す予約状況情報に基づき、前記ユーザによるジョブ処理の予約が行われていたかを判断する第２の判断手段と、
前記第２の判断手段によって前記ユーザによるジョブ処理の予約が行われていたと判断された場合には、前記第１又は第２の位置情報に基づき、前記ジョブ処理装置が設置されているエリアを含んだレイアウトマップ上に、前記予約が行われたジョブ処理を示す第１の視覚情報を割り当てる割当手段と、
を有することを特徴とする位置情報管理システム。
【請求項２】
請求項１に記載の位置情報管理システムであって、
前記第１の判断手段によって同じであると判断された場合に、前記ジョブ処理の予約を管理するジョブ処理管理システムに対して、前記予約状況情報を要求する要求手段と、
前記要求手段による要求に応じて前記ジョブ処理管理システムから送信された前記予約状況情報を受信する受信手段とを有し、
前記受信手段によって受信された前記予約状況情報が前記ユーザによるジョブ処理の予約が行われていた旨を示す場合には、前記第２の判断手段は、前記ユーザによるジョブ処理の予約が行われていたと判断することを特徴とする位置情報管理システム。
【請求項３】
前記受信手段は、前記予約が行われていたジョブ処理の量を示す処理量情報を、前記ジョブ処理管理システムから受信し、
前記第１の視覚情報は、前記処理量情報で示されているジョブ処理の量に応じて矩形の数が異なる矩形アイコンであることを特徴とする請求項２に記載の位置情報管理システム。
【請求項４】
前記割当手段は、前記第２の位置情報に基づき、前記レイアウトマップ上に前記ユーザを示す第２の視覚情報を割り当てることを特徴とする請求項１乃至３のいずれか一項に記載の位置情報管理システム。
【請求項５】
前記割当手段は、前記第１の位置情報に基づき、前記レイアウトマップ上に前記ジョブ処理装置を示す第３の視覚情報を割り当てることを特徴とする請求項１乃至４のいずれか一項に記載の位置情報管理システム。
【請求項６】
請求項１乃至５のいずれか一項に記載の位置情報管理システムであって、
情報処理端末から前記レイアウトマップのデータの要求を受け付ける受付手段と、
前記受付手段による要求の受け付けに基づき、前記割当手段によって前記第１の視覚情報が割り当てられた前記レイアウトマップのデータを、前記情報処理端末に送信する送信手段と、
を有することを特徴とする位置情報管理システム。
【請求項７】
配信装置から配信された当該配信装置の位置を示す位置情報を受信した通信端末によって送信された前記位置情報を管理する位置情報管理システムが実行する位置情報管理方法であって、
前記位置情報管理システムは、ジョブ処理を行うジョブ処理装置が設置されているエリアを含んだレイアウトマップのデータ、及び予約が行われたジョブ処理を示す第１の視覚情報を記憶する記憶手段を有しており、
前記位置情報管理システムは、
前記ジョブ処理装置の位置の管理に用いられる第１の通信端末の位置を示す第１の位置情報と、ユーザの位置の管理に用いられる第２の通信端末の位置を示す第２の位置情報とが同じかを判断する第１の判断ステップと、
前記第１の判断ステップによって同じであると判断された場合に、前記ユーザによるジョブ処理の予約状況を示す予約状況情報に基づき、前記ユーザによるジョブ処理の予約が行われていたかを判断する第２の判断ステップと、
前記第２の判断ステップによって前記ユーザによるジョブ処理の予約が行われていたと判断された場合には、前記記憶手段から、前記レイアウトマップのデータ及び第１の視覚情報を読み出す読出ステップと、
前記第１又は第２の位置情報に基づき、前記読出ステップによって読み出されたデータに係るレイアウトマップ上に、前記読出ステップによって読み出された第１の視覚情報を割り当てる割当ステップと、
を実行することを特徴とする位置情報管理方法。
【請求項８】
コンピュータに、請求項７に記載の位置情報管理方法を実行させるためのプログラム。
【発明の詳細な説明】
【技術分野】
【０００１】
本発明は、配信装置から配信された当該配信装置の位置を示す位置情報を受信した通信端末によって送信された上記位置情報を管理する発明に関する。
【背景技術】
【０００２】
従来から、屋内におけるユーザの通信端末の位置や、オフィス機器等のジョブ処理装置の位置を特定し、屋内を示すレイアウトマップ上に、ユーザやジョブ処理装置を示すアイコンを割り当てて表示することで、屋内におけるユーザやジョブ処理装置の位置を管理するシステムが提供されている（特許文献１参照）。これにより、ユーザを示すアイコンがジョブ処理装置を示すアイコンの周辺に表示されている場合には、他のユーザは、ジョブ処理装置はユーザによる使用により混雑していると推測することができる。そのため、他のユーザは、少し待ってからジョブ処理装置に行くことで、効率よくジョブ処理装置を使用することができる。
【発明の概要】
【発明が解決しようとする課題】
【０００３】
しかしながら、従来のシステムでは、ユーザが単にジョブ処理装置の前を通り過ぎるような場合であっても、ユーザを示すアイコンがジョブ処理装置を示すアイコンの周辺に表示されるため、他のユーザはジョブ処理装置が混雑していると勘違いしてしまう。即ち、従来のシステムでは、他のユーザに、ジョブ処理装置の混雑を正確に伝えることができないという課題が生じる。
【課題を解決するための手段】
【０００４】
請求項１に係る発明は、配信装置から配信された当該配信装置の位置を示す位置情報を受信した通信端末によって送信された前記位置情報を管理する位置情報管理システムであって、ジョブ処理を行うジョブ処理装置の位置の管理に用いられる第１の通信端末の位置を示す第１の位置情報と、ユーザの位置の管理に用いられる第２の通信端末の位置を示す第２の位置情報とが同じかを判断する第１の判断手段と、前記第１の判断手段によって同じであると判断された場合に、前記ユーザによるジョブ処理の予約状況を示す予約状況情報に基づき、前記ユーザによるジョブ処理の予約が行われていたかを判断する第２の判断手段と、前記第２の判断手段によって前記ユーザによるジョブ処理の予約が行われていたと判断された場合には、前記第１又は第２の位置情報に基づき、前記ジョブ処理装置が設置されているエリアを含んだレイアウトマップ上に、前記予約が行われたジョブ処理を示す第１の視覚情報を割り当てる割当手段と、を有することを特徴とする位置情報管理システムである。
【発明の効果】
【０００５】
以上説明したように本発明によれば、位置情報管理システムは、ユーザがジョブ処理装置のエリア内に入った場合であっても、ユーザがジョブ処理の予約を行っていた場合に、レイアウトマップ上に第１の視覚情報を割り当てるため、他のユーザにジョブ処理装置の混雑をより正確に伝えることができるという効果を奏する。
【０００６】
効果を奏する。
【図面の簡単な説明】
【０００７】
【図１】本発明の実施形態に係る位置管理システム全体の概略図である。
【図２】電気機器が蛍光灯型ＬＥＤ照明器具の場合の外観構成図である。
【図３】管理対象物に通信端末を設置した状態を示すイメージ図である。
【図４】電気機器がＬＥＤ照明器具の場合の器具本体のハードウェア構成図である。
【図５】電気機器がＬＥＤ照明器具の場合の蛍光灯型ＬＥＤランプのハードウェア構成図。
【図６】配信装置が配信する位置情報の概念図である。
【図７】通信端末のハードウェア構成図である。
【図８】位置情報のデータのフォーマットの概念図である。
【図９】位置情報を含んだデータのデータ構造を示す概念図である。
【図１０】管理対象物が携帯電話機の場合のハードウェア構成図である。
【図１１】ゲートウェイのハードウェア構成図である。
【図１２】位置情報管理システム、管理対象物（パソコン）、及びジョブ処理管理システムのハードウェア構成図である。
【図１３】配信装置及び通信端末の機能ブロック図である。
【図１４】管理対象物が携帯電話機又はパソコンの場合の機能ブロック図である。
【図１５】ゲートウェイ、位置情報管理システム、及びジョブ処理管理システムの機能ブロック図である。
【図１６】位置情報管理テーブルＦの概念図である。
【図１７】管理対象管理テーブルＧの概念図である。
【図１８】レイアウトマップリストＨの概念図である。
【図１９】（Ａ）は視覚情報管理テーブルＪ１の概念図、（Ｂ）は視覚情報管理テーブルＪ２の概念図である。
【図２０】印刷データ管理テーブルＫの概念図である。
【図２１】天井の通信ネットワークを構築する処理を示したシーケンス図である。
【図２２】位置情報を配信する処理を示したシーケンス図である。
【図２３】通信端末が利用する位置情報を決定すると共に、位置情報の送信先となる配信装置を決定する処理を示したシーケンス図である。
【図２４】通信端末が位置情報を受信してから記憶するまでの処理を示したフローチャートである。
【図２５】配信装置と通信端末との通信状況を示したイメージ図である。
【図２６】送信先を決定する処理を示したフローチャートである。
【図２７】位置情報を管理する処理を示したシーケンス図である。
【図２８】レイアウトマップのデータを送受信する処理を示したシーケンス図である。
【図２９】配信装置が位置情報を配信可能な所定エリア内に、ジョブ処理装置及びユーザが入っている場合のイメージ図である。
【図３０】ジョブ処理装置と通信可能な配信装置の配信範囲内におけるユーザの通信端末を検索する処理を示したフローチャートである。
【図３１】レイアウトマップにアイコンを割り当てる処理を示したフローチャートである。
【図３２】レイアウトマップを示した図である。
【発明を実施するための形態】
【０００８】
以下、図１乃至図３２を用いて、本発明の実施形態について説明する。
【０００９】
まずは、図１を用いて、本実施形態の概略を説明する。なお、図１は、本発明の実施形態に係る位置管理システム全体の概略図である。
【００１０】
図１に示されているように、本実施形態の位置管理システム１は、屋内αの天井β側の複数の配信装置（３ａ，３ｂ，３ｃ，３ｄ，３ｅ，３ｆ，３ｇ，３ｈ）と、屋内αの床側の複数の通信端末（５ａ，５ｂ，５ｃ，５ｄ，５ｅ，５ｆ，５ｇ，５ｈ）と、ジョブ処理管理システム６と、データ位置情報管理システム９とによって構築されている。
【００１１】
また、各配信装置（３ａ，３ｂ，３ｃ，３ｄ，３ｅ，３ｆ，３ｇ，３ｈ）は、それぞれが設置される位置（それぞれが設置された後は「設置された位置」を意味する）を示す位置情報（Ｘａ，Ｘｂ，Ｘｃ，Ｘｄ，Ｘｅ，Ｘｆ，Ｘｇ，Ｘｈ）を記憶しており、屋内αの床に向けて各位置情報（Ｘａ，Ｘｂ，Ｘｃ，Ｘｄ，Ｘｅ，Ｘｆ，Ｘｇ，Ｘｈ）を配信する。更に、各配信装置（３ａ，３ｂ，３ｃ，３ｄ，３ｅ，３ｆ，３ｇ，３ｈ）は、それぞれを識別するための装置識別情報（Ｂａ，Ｂｂ，Ｂｃ，Ｂｄ，Ｂｅ，Ｂｆ，Ｂｇ，Ｂｈ）を記憶している。
【００１２】
なお、以下、複数の配信装置のうち任意の配信装置を「配信装置３」と示し、複数の通信端末のうち任意の通信端末を「通信端末５」と示す。また、複数の位置情報のうち任意の位置情報を「位置情報Ｘ」と示し、複数の装置識別情報のうち任意の装置識別情報を「装置識別情報Ｂ」と示す。装置識別情報Ｂとしては、ＭＡＣ(Media Access Control)アドレスが挙げられる。
【００１３】
一方、各通信端末（５ａ，５ｂ，５ｃ，５ｄ，５ｅ，５ｆ，５ｇ，５ｈ）は、それぞれを識別するための端末識別情報（Ａａ，Ａｂ，Ａｃ，Ａｄ，Ａｅ，Ａｆ，Ａｇ，Ａｈ）を記憶している。なお、複数の端末識別情報のうち任意の端末識別情報を「端末識別情報Ａ」と示す。端末識別情報Ａとしては、ＭＡＣアドレスが挙げられる。各通信端末５は、配信装置３から位置情報Ｘを受信すると、自己の端末識別情報Ａと共に位置情報Ｘを配信装置３に対して送信する。
【００１４】
また、各配信装置３は、それぞれ屋内αの天井βに設置された電気機器（２ａ，２ｂ，２ｃ，２ｄ，２ｅ，２ｆ，２ｇ，２ｈ）に内蔵されるか又はこれらの各外部に取り付けられている。なお、以下、複数の電気機器のうち任意の電気機器を「電気機器２」と示す。
【００１５】
各電気機器２は、各配信装置３に対して電力を供給する。このうち、電気機器２ａは、蛍光灯型ＬＥＤ(Light Emitting Diode)照明器具である。電気機器２ｂは、換気扇である。電気機器２ｃは、無線ＬＡＮ(Local Area Network)のアクセスポイントである。電気機器２ｄは、スピーカである。電気機器２ｅは、非常灯である。電気機器２ｆは、火災報知機又は煙報知器である。電気機器２ｇは、監視カメラである。電気機器２ｈは、エアコンである。
【００１６】
なお、各電気機器２は、各配信装置３に電力を供給することができれば、図１に示されている物以外であってもよい。例えば、上記電気機器２の例以外に、ＬＥＤではない一般の蛍光灯又は白熱灯の照明器具、外部からの人の侵入を検知する防犯センサ等が挙げられる。
【００１７】
一方、各通信端末５は、それぞれ位置情報管理システム９によって位置を管理される管理対象物（４ａ，４ｂ，４ｃ，４ｄ，４ｅ）の外部に取り付けられている。
【００１８】
このうち、管理対象物４ａは、鞄である。管理対象物４ｂは、テーブルである。管理対象物４ｃは、プロジェクタである。管理対象物４ｄは、テレビ会議端末である。管理対象物４ｅは、コピー機能を含んだＭＦＰ(Multi Function Product)である。管理対象物４ｆは、ほうきである。
【００１９】
また、管理対象物４ｇはパソコンであり、パソコン内に通信端末５の機能が搭載されているため、この場合は通信端末５ｇでもある。更に、管理対象物４ｈはスマートフォンやタブレット型端末等のモバイル端末であり、このモバイル端末内に通信端末５の機能が搭載されているため、この場合は通信端末５ｈでもある。なお、以下、複数の管理対象物のうち任意の管理対象物を「管理対象物４」と示す。
【００２０】
また、各管理対象物４は、図１に示されている物以外であってもよい。例えば、管理対象物４の他の例として、ファクシミリ装置、スキャナ、プリンタ、コピー機、電子黒板、空気清浄機、シュレッダ、自動販売機、腕時計、カメラ、ゲーム機、車椅子、及び内視鏡等の医療機器が挙げられる。
【００２１】
次に、位置管理システム１を利用した位置情報の管理方法の一例の概略を説明する。本実施形態では、例えば、屋内αの天井βに設置されている配信装置３ａは、無線通信により、この配信装置３ａが設置された位置を示す位置情報Ｘａを配信する。これにより、通信端末５ａが位置情報Ｘａを受信する。次に、通信端末５ａは、無線通信により、配信装置３ａに、通信端末５ａを識別するための端末識別情報Ａａ及び位置情報Ｘａを送信する。この場合、通信端末５ａは、配信装置３ａから受け取った位置情報Ｘａを、配信装置３ａに送り返すことになる。
【００２２】
これにより、配信装置３ａは、端末識別情報Ａａ及び位置情報Ｘａを受信する。次に、配信装置３ａは、無線通信により、ゲートウェイ７に端末識別情報Ａａ及び位置情報Ｘａを送信する。そして、ゲートウェイ７は、ＬＡＮ８ｅを介して位置情報管理システム９へ端末識別情報Ａａ及び位置情報Ｘａを送信する。位置情報管理システム９では、端末識別情報Ａａ及び位置情報Ｘａを管理することで、位置情報管理システム９の管理者は、通信端末５ａ（管理対象物４ａ）の屋内αにおける位置を把握することができる。
【００２３】
また、通信端末５のうち特に通信端末（５ｇ，５ｈ）は、図１に示されているように、屋外γでは、GPS(Global Positioning System)衛星９９９から無線信号（時刻情報、軌道情報等）を受信して、地球上の位置を算出することができる。そして、通信端末（５ｇ，５ｈ）は、３Ｇ(3rd Generation)、４Ｇ(4th generation)等の移動通信システムを利用して、基地局８ａ、移動体通信網８ｂ、ゲートウェイ８ｃ、インターネット８ｄ、及びＬＡＮ８ｅを介して、位置情報管理システム９へ、通信端末（５ｇ，５ｈ）をそれぞれ識別するための端末識別情報（Ａｇ，Ａｈ）及び位置情報（Ｘｇ，Ｘｈ）を送信することもできる。
【００２４】
なお、基地局８ａ、移動体通信網８ｂ、ゲートウェイ８ｃ、インターネット８ｄ、ＬＡＮ８ｅ、及びゲートウェイ７によって、通信ネットワーク８が構築されている。また、地球上の緯度と経度が測位されるためには、少なくとも３つのＧＰＳ衛星が必要であるが（高度を含めると４つ必要）、簡単に説明するため、図１では１つのGPS衛星を示している。
【００２５】
次に、図２を用い、電気機器２の一例として、蛍光灯型ＬＥＤ照明器具としての電気機器２ａの外観の構成を説明する。なお、図２は、電気機器が蛍光灯型ＬＥＤ照明器具の場合の外観構成図である。
【００２６】
図２に示されているように、蛍光灯型ＬＥＤ照明器具としての電気機器２ａは、直管型のランプであり、図１に示されている屋内αの天井βに取り付けられる装置本体１２０、及びこの装置本体１２０に取り付けられるＬＥＤランプ１３０によって構成されている。
【００２７】
装置本体１２０の両端部には、それぞれソケット１２１ａ及びソケット１２１ｂが設けられている。このうち、ソケット１２１ａは、ＬＥＤランプ１３０に給電する給電端子（１２４ａ１、１２４ａ２）を有する。また、ソケット１２１ｂも、ＬＥＤランプ１３０に給電する給電端子（１２４ｂ１，１２４ｂ２）を有する。これにより、装置本体１２０は、後述の電源１０００からの電力をＬＥＤランプ１３０に供給することができる。
【００２８】
一方、ＬＥＤランプ１３０は、透光性カバー１３１と、この透光性カバー１３１の両端部にそれぞれ設けられる口金（１３２ａ，１３２ｂ）と、透光性カバー１３１の内部に配信装置３ａを有する。このうち、透光性カバー１３１は、例えば、アクリル樹脂等の樹脂材料で形成され、内部の光源を覆う様に設けられる。
【００２９】
更に、口金１３２ａには、ソケット１２１ａの給電端子（１２４ａ１，１２４ａ２）にそれぞれ接続される端子ピン（１５２ａ１，１５２ａ２）が設けられている。また、口金１３２ｂには、ソケット１２１ｂの給電端子（１２４ｂ１，１２４ｂ２）にそれぞれ接続される端子ピン（１５２ｂ１，１５２ｂ２）が設けられている。そして、ＬＥＤランプ１３０が装置本体１２０に装着されることで、装置本体１２０から各給電端子（１２４ａ１，１２４ａ２，１２４ｂ１，１２４ｂ２）を介して、各端子ピン（１５２ａ１，１５２ａ２，１５２ｂ１，１５２ｂ２）からの電力供給が可能となる。これにより、ＬＥＤランプ１３０は、透光性カバー１３１を介して外部に光を照射する。また、配信装置３ａは、装置本体１２０から供給される電力で動作する。
【００３０】
続いて、図３を用い、管理対象物４の一例として、テーブルとしての管理対象物４ｂの上面に通信端末５ｂが置かれた状態を説明する。なお、図３は、管理対象物に通信端末を設置した状態を示すイメージ図である。
【００３１】
図３に示されているように、管理対象物４ｂの上面に、通信端末５ｂが取り付けられている。例えば、通信端末５ｂは、管理対象物４ｂ上に両面テープによって取り付けることができるが、単に管理対象物４ｃ上に置くだけでも良い。
【００３２】
続いて、図４及び図５を用い、電気機器がＬＥＤ照明器具の場合のハードウェア構成について説明する。なお、図４は、電気機器がＬＥＤ照明器具の場合の器具本体のハードウェア構成図である。図５は、電気機器がＬＥＤ照明器具の場合の蛍光灯型ＬＥＤランプのハードウェア構成図である。
【００３３】
図４に示されているように、装置本体１２０は、主に、安定器１２２、リード線（１２３ａ，１２３ｂ）、及び給電端子（１２４ａ１，１２４ａ２，１２４ｂ１，１２４ｂ２）によって構成されている。
【００３４】
このうち、安定器１２２は、外部の電源１０００から供給される電流を制御する。安定器１２２と給電端子（１２４ａ１，１２４ａ２，１２４ｂ１，１２４ｂ２）は、リード線（１２３ａ，１２３ｂ）によって電気的に接続されている。これにより、安定器１２２からリード線（１２３ａ，１２３ｂ）を介して各給電端子（１２４ａ１，１２４ａ２，１２４ｂ１，１２４ｂ２）に安定した電力を供給することができる。
【００３５】
また、図５に示されているように、ＬＥＤランプ１３０は、主に、電源制御部１４０、リード線（１５１ａ，１５１ｂ）、端子ピン（１５２ａ１，１５２ａ２，１５２ｂ１，１５２ｂ２）、リード線１５３、リード線１５４、リード線１５５、及び配信装置３ａによって構成されている。このうち、電源制御部１４０は、電源１０００から出力される電流を制御し、主に、電流監視回路１４１及び平滑回路１４２によって構成されている。電流監視回路１４１は、電源１０００から出力される電流を入力して整流する。平滑回路１４２は、電流監視回路１４１によって整流された電流を平滑し、リード線（１５１ａ，１５１ｂ）を介して各端子ピン（１５２ａ１，１５２ａ２，１５２ｂ１，１５２ｂ２）に電力を供給する。
【００３６】
また、電源制御部１４０と端子ピン（１５２ａ１，１５２ａ２，１５２ｂ１，１５２ｂ２）は、リード線（１５１ａ，１５１ｂ）によって電気的に接続されている。電源制御部１４０と配信装置３ａは、リード線１５４によって電気的に接続されている。なお、ＬＥＤ１６０は、紙面の面積の関係上、図５において１つだけ示しているが、実際には複数のＬＥＤが取り付けられている。また、図５に示されている構成のうち、配信装置３ａ以外は、一般のＬＥＤランプと同じ構成である。
【００３７】
次に、配信装置３ａについて説明する。配信装置３ａは、電圧変換器１００、リード線１５５、制御部１１、位置情報配信部１２、無線通信部１３によって構成されている。そして、電圧変換器１００が、リード線１５５を介して、制御部１１、位置情報配信部１２、及び無線通信部１３に電気的に接続されている。
【００３８】
このうち、電圧変換器１００は、電源制御部１４０から供給された電力の電圧を、配信装置３ａの駆動電圧に変換し、制御部１１、位置情報配信部１２、及び無線通信部１３へ供給する電子部品である。
【００３９】
また、制御部１１は、制御部１１全体の動作を制御するＣＰＵ(Central Processing Unit)１０１、基本入出力プログラムを記憶したＲＯＭ(Read Only Memory)１０２、ＣＰＵ１０１のワークエリアとして使用されるＲＡＭ(Random Access Memory)１０３、位置情報配信部１２及び無線通信部１３とそれぞれ信号の送受信を行うＩ／Ｆ（１０８ａ，１０８ｂ）、並びに、上記各部を電気的に接続するためのアドレスバスやデータバス等のバスライン１０９を備えている。
【００４０】
また、位置情報配信部１２は、位置情報配信部１２全体の動作を制御するＣＰＵ２０１、基本入出力プログラム及び位置情報Ｘａを記憶したＲＯＭ２０２、位置情報Ｘａを配信する通信回路２０４及びアンテナ２０４ａ、制御部１１と信号の送受信を行うＩ／Ｆ２０８、並びに、上記各部を電気的に接続するためのアドレスバスやデータバス等のバスライン２０９を備えている。
【００４１】
このうち、通信回路２０４は、屋内ＧＰＳと呼ばれる屋内測位技術の１つであるＩＭＥＳを利用し、アンテナ２０４ａによって位置情報Ｘａを配信する。なお、図１には、位置情報Ｘの到達可能な範囲（配信可能な範囲）が仮想的に破線によって表されている。本実施形態のＩＭＥＳでは、屋内αの天井高が約３ｍの場合に、屋内αの床に表された位置情報Ｘの到達可能な仮想円の半径が約５ｍとなるように、送信出力が設定される。但し、この送信出力の設定を変更すれば、５ｍよりも小さくすることも可能であり、大きくすることも可能である。
【００４２】
また、位置情報Ｘａは、蛍光灯型ＬＥＤ照明器具である電気機器２ａが設置された位置を示し、図６に示されているように、階数、緯度、経度、棟番号の項目を含む。なお、図６は、配信装置が配信する位置情報の概念図である。
【００４３】
このうち、階数は、電気機器２ａが設置される建物の階数を表す。緯度及び経度は、電気機器２ａが設置された位置の緯度及び経度を表す。棟番号は、電気機器２ａが設置された建物の棟番号を表す。図６に示されている例では、電気機器２ａは、ある建物のＣ棟の１６階で、緯度が北緯３５．４５９５５５度、経度が東経１３９．３８７１１０度の地点に設置されていることが示されている。なお、緯度は南緯により、経度は西経により表されてもよい。
【００４４】
また、図５に戻って、無線通信部１３は、無線通信部１３全体の動作を制御するＣＰＵ３０１、基本入出力プログラム及び装置識別情報Ｂａを記憶したＲＯＭ３０２、ＣＰＵ３０１のワークエリアとして使用されるＲＡＭ３０３、位置情報Ｘａや端末識別情報Ａａを受信してゲートウェイ７に送信する通信回路３０４及びアンテナ３０４ａ、制御部１１と信号の送受信を行うＩ／Ｆ３０８、及び、上記各部を電気的に接続するためのアドレスバスやデータバス等のバスライン３０９を備えている。
【００４５】
また、無線通信部１３は、９２０ＭＨｚ帯を利用してデータの送受信を行う。９２０ＭＨｚ帯は、電波到達性が高いため、配信装置３ａとゲートウェイ７との間に建物の柱や壁が存在している場合であっても、配信装置３ａからゲートウェイ７にデータを送信することができるという効果を奏する。
【００４６】
更に、通信回路３０４は、IEEE802.15.4規格のアーキテクチャモデルのうち少なくとも物理層（レイヤ）の規格を利用し、アンテナ３０４ａによってデータの送受信を行う。また、この場合には、配信装置３（無線通信部１３）を識別するための装置識別情報Ｂとして、ＭＡＣアドレスを用いることができる。
【００４７】
なお、IEEE802.15.4規格のアーキテクチャモデルのうち物理層とＭＡＣ層を採用したZigBee(登録商標)を利用してもよい。この場合、日本、米国、欧州等の利用領域に応じて、配信装置３は、８００ＭＨｚ帯、９００ＭＨｚ帯、又は２．４ＧＨｚ帯を利用し、隣接する他の配信装置３を経由して、ゲートウェイ７にデータを送信することができる。このように他の配信装置３を経由してデータを送信するマルチホップ通信を利用すれば、各配信装置３の無線通信部１３は、ルーティング処理に時間が掛かるが、最寄の配信装置３にデータが到達する程度の電力で通信すればよいため、省電力で駆動することができるというメリットがある。
【００４８】
また、位置情報Ｘａは、配信装置３ａの工場出荷前にメーカーによって記憶部２９に記憶されてもよいし、配信装置３ａの工場出荷後で天井βに電気機器２ａが設置される際に設置者によって記憶されてもよい。更に、位置情報Ｘａは、位置情報管理システム９等の外部の装置から、ゲートウェイ７を介して無線通信により、無線通信部１３の通信回路３０４が受信し、制御部１１を介して位置情報配信部１２のＲＯＭ２０２に記憶されるようにしてもよい。
【００４９】
次に、図７を用い、通信端末５のハードウェア構成について説明する。なお、図７は、通信端末のハードウェア構成図である。
【００５０】
図７に示されているように、通信端末５は、制御部１４及び無線通信部１５によって構成されている。
【００５１】
このうち、制御部１４は、制御部１４全体の動作を制御するＣＰＵ４０１、基本入出力プログラムを記憶したＲＯＭ４０２、ＣＰＵ４０１のワークエリアとして使用されるＲＡＭ４０３、位置情報Ｘを受信する通信回路４０４及びアンテナ４０４ａ、加速度を検出する加速度センサ４０５、無線通信部１５と信号の送受信を行うＩ／Ｆ４０８、及び、上記各部を電気的に接続するためのアドレスバスやデータバス等のバスライン４０９を備えている。また、制御部１４は、ボタン電池４０６も設けられており、このボタン電池４０６によって駆動される。なお、本実施形態では、ボタン電池４０６を使う場合について説明するが、ボタン型に限らず、単３、単４等の乾電池や、通信端末５に専用の電池であってもよい。
【００５２】
通信回路４０４は、アンテナ４０４ａによって、ＩＭＥＳを利用して配信された位置情報Ｘを受信する。また、制御部１４は、コネクタ４０９ａを介して無線通信部１５に、ボタン電池４０６の電力を供給する。更に、制御部１４は、Ｉ／Ｆ４０８からコネクタ４０９ｂを介して無線通信部１５とデータ（信号）の送受信を行う。
【００５３】
また、加速度センサ４０５は、通信端末５の加速度の変化を検出する。加速度の変化は、例えば、通信端末５が移動を開始した時、通信端末５が移動を停止した時、又は通信端末５が傾いた時等に検出される。ＣＰＵ４０１の処理が停止中の場合、加速度センサ４０５が加速度の変化を検出すると、ＣＰＵ４０１へ処理を始動させるための信号を送信する。これにより、ＣＰＵ４０１は、自己の処理を始動させると共に、通信回路４０４に対して処理を始動させるための信号を送信する。よって、位置情報Ｘが配信装置３から配信されている場合、通信端末５の通信回路４０４は、アンテナ４０４ａを介して位置情報Ｘの受信を開始することができる。
【００５４】
一方、無線通信部１５は、上記無線通信部１３と基本的に同じ構成を有し、無線通信部１３と同じ帯域を利用して、配信装置３の無線通信部１３とデータの送受信を行うことができる。そして、無線通信部１５は、図７に示されているように、無線通信部１５全体の動作を制御するＣＰＵ５０１、基本入出力プログラム及び端末識別情報Ａを記憶したＲＯＭ５０２、ＣＰＵ５０１のワークエリアとして使用されるＲＡＭ５０３、位置情報Ｘや端末識別情報Ａを送信する通信回路５０４及びアンテナ５０４ａ、制御部１４と信号の送受信を行うＩ／Ｆ５０８、及び、上記各部を電気的に接続するためのアドレスバスやデータバス等のバスライン５０９を備えている。なお、無線通信部１５においても、ZigBeeを利用してもよい。
【００５５】
また、通信回路５０４は、ＣＰＵ５０１からの命令により、コネクタ４０９ｂを介して、制御部１４のＲＡＭ４０３に記憶されている位置情報Ｘを取得する。更に、通信回路５０４は、ＲＯＭ５０２に記憶されている端末識別情報Ａを読み出し、上記取得された位置情報Ｘと共に、アンテナ５０４ａを介して配信装置３へ送信する。
【００５６】
また、通信回路５０４によって送信される位置情報Ｘのデータは、図８に示されているようなフォーマットによって構成されている。なお、図８は、位置情報のデータのフォーマットの概念図である。図８の例では、階数、緯度、経度、棟番号の各フィールドが、それぞれ９ビット、２１ビット、２１ビット、８ビットで表現され、各フィールドの表現形式はＩＭＥＳ規格に準ずる。実際には、このフォーマットに加えて、通信方式によって規定されるヘッダやチェックサム情報が付加され、図９に示されているように、送信先、送信元、及びデータ内容（位置情報Ｘ等）が含まれている。なお、図９は、位置情報を含んだデータのデータ構造を示す概念図である。
【００５７】
次に、図１０を用い、管理対象物４ｈ（通信端末５ｈ）である携帯電話機のハードウェア構成について説明する。なお、図１０は、管理対象物が携帯電話機の場合のハードウェア構成図である。
【００５８】
図１０に示されているように、管理対象物４ｈ（通信端末５ｈ）は、通信端末５ｈ全体の動作を制御するＣＰＵ６０１、基本入出力プログラムを記憶したＲＯＭ(Read Only Memory)６０２、ＣＰＵ６０１のワークエリアとして使用されるＲＡＭ６０３、ＣＰＵ６０１の制御にしたがってデータの読み出し又は書き込みを行うＥＥＰＲＯＭ（Electrically Erasable and Programmable ROM）６０４、ＣＰＵ６０１の制御に従って被写体を撮像し画像データを得るＣＭＯＳ(Complementary Metal Oxide Semiconductor)センサ６０５、地磁気を検知する電子磁気コンパスやジャイロコンパスや加速度センサ等の各種加速度・方位センサ６０６、フラッシュメモリ等の記録メディア６０７に対するデータの読み出し又は書き込み（記憶）を制御するメディアドライブ６０８を備えている。そして、メディアドライブ６０８の制御に従って、既に記録されていたデータが読み出され、又は新たにデータが書き込まれて記憶する記録メディア６０７が着脱自在な構成となっている。
【００５９】
なお、ＥＥＰＲＯＭ６０４には、ＣＰＵ６０１が実行するオペレーティングシステム（ＯＳ）、その他のプログラム、及び、種々データが記憶されている。また、ＣＭＯＳセンサ６０５は、光を電荷に変換して被写体の画像を電子化する電荷結合素子であり、被写体を撮像することができれば、ＣＭＯＳセンサに限らず、ＣＣＤ(Charge Coupled Device)センサであってもよい。
【００６０】
更に、管理対象物４ｈ（通信端末５ｈ）は、音声を音声信号に変換する音声入力部６１１、音声信号を音声に変換する音声出力部６１２、アンテナ６１３ａ、このアンテナ６１３ａを利用して無線通信信号により、最寄の基地局８ａと通信を行う通信部６１３、ＧＰＳ衛星９９９からＧＰＳ信号を受信するＧＰＳ受信部４１ｓ４、被写体の画像や各種アイコン等を表示する液晶や有機ＥＬなどのディスプレイ６１５、このディスプレイ６１５上に載せられ、感圧式又は静電式のパネルによって構成され、指やタッチペン等によるタッチによってディスプレイ６１５上におけるタッチ位置を検出するタッチパネル６１６、及び、上記各部を電気的に接続するためのアドレスバスやデータバス等のバスライン６１０を備えている。また、管理対象物４ｈ（通信端末５ｈ）は、専用の電池６１７も設けられており、この電池６１７によって駆動される。なお、音声入力部６１１は、音声を入力するマイクが含まれ、音声出力部６１２には、音声を出力するスピーカが含まれている。
【００６１】
また、この管理対象物４ｈ（通信端末５ｈ）のＧＰＳ受信部４１ｓ４は、一般の携帯電話機が有するＧＰＳ受信部と同じである。但し、ＲＯＭ６０２に記憶されたプログラムにおけるファームウェアは微調整されており、屋内αの配信装置３及び屋外γのＧＰＳ衛星からシームレスにデータ受信を行うことができる。なお、加速度・方位センサ６０６は、図７における加速度センサ６０５の処理を含む働きをする。
【００６２】
なお、管理対象物４ｇ（通信端末５ｇ）であるパソコンのハードウェア構成に関しては、基本的に後述の図１２に示されている位置情報管理システム９と同じであるため、その説明を省略する。但し、管理対象物４ｇ（通信端末５ｇ）であるパソコンの場合は、図１２に示されているＵＳＢ(Universal Serial Bus)コネクタ等の外部機器Ｉ／Ｆ９１６に、ＧＰＳアンテナを接続する。パソコンによっては、ＧＰＳアンテナが搭載されているものがあり、この場合には、外部機器Ｉ／Ｆ９１６にＧＰＳアンテナを接続する必要はない。
【００６３】
次に、図１１を用い、ゲートウェイ７のハードウェア構成について説明する。なお、図１１は、ゲートウェイのハードウェア構成図である。
【００６４】
図１１に示されているように、ゲートウェイ７は、無線通信部１７及び有線通信部１８によって構成されている。
【００６５】
このうち、無線通信部１７は、上記無線通信部１３と基本的に同じ構成を有し、無線通信部１３と同じ帯域を利用して、配信装置３の無線通信部１３とデータの送受信を行うことができる。無線通信部１７は、図１１に示されているように、無線通信部１７全体の動作を制御するＣＰＵ７０１、基本入出力プログラム及び装置識別情報Ｃを記憶したＲＯＭ７０２、ＣＰＵ７０１のワークエリアとして使用されるＲＡＭ７０３、位置情報Ｘ等を送信する通信回路７０４及びアンテナ７０４ａ、有線通信部１８と信号の送受信を行うＩ／Ｆ７０８、及び、上記各部を電気的に接続するためのアドレスバスやデータバス等のバスライン７０９を備えている。また、無線通信部１７は、Ｉ／Ｆ７０８からコネクタ７０９ａを介して有線通信部１８と信号の送受信を行う。
【００６６】
なお、無線通信部１７においても、ZigBeeを利用してもよい。また、装置識別情報Ｃは、ゲートウェイ７（無線通信部１７）を識別するための固有の情報である。装置識別情報Ｃとしては、例えば、ＭＡＣアドレスが挙げられる。
【００６７】
一方、有線通信部１８は、図１１に示されているように、有線通信部１８全体の動作を制御するＣＰＵ８０１、基本入出力プログラム及び装置識別情報Ｄを記憶したＲＯＭ８０２、ＣＰＵ８０１のワークエリアとして使用されるＲＡＭ８０３、イーサネットコントローラ８０５、無線通信部１７と信号の送受信を行うＩ／Ｆ８０８ａ、ケーブル８０９を介しＬＡＮ８ｅに対しデータ（信号）の送受信を行うＩ／Ｆ８０８ｂ、及び、上記各部を電気的に接続するためのアドレスバスやデータバス等のバスライン８０９を備えている。
【００６８】
ここで、ＣＰＵ８０１及びイーサネットコントローラ８０５は、IEEE802.15.4に準拠した通信方式（通信プロトコル）を、IEEE802.3に準拠した通信方式（通信プロトコル）に変換して、配信装置３から送られて来た各種データ（情報）を、イーサネット（登録商標）のパケット通信ができるように制御する。
【００６９】
更に、装置識別情報Ｄは、ゲートウェイ７（有線通信部１８）を識別するための固有の情報である。装置識別情報Ｄとしては、例えば、ＩＰ(Internet Protocol Address)アドレスが挙げられる。なお、ＲＯＭ８０２には、ＭＡＣアドレスも記憶されているが、位置情報管理システム９との通信を簡単に説明するため、その説明を省略する。
【００７０】
次に、図１２を用い、位置情報管理システム９のハードウェア構成について説明する。なお、図１２は、位置情報管理システム、管理対象物（パソコン）、及びジョブ処理管理システムのハードウェア構成図である。ここでは、位置情報管理システム９について説明する。
【００７１】
位置情報管理システム９は、コンピュータによって構成されている。そして、位置情報管理システム９は、位置情報管理システム９全体の動作を制御するＣＰＵ９０１、ＩＰＬ(Initial Program Loader)等のＣＰＵ９０１の駆動に用いられるプログラムを記憶したＲＯＭ９０２、ＣＰＵ９０１のワークエリアとして使用されるＲＡＭ９０３、位置情報管理システム９用のプログラム等の各種データやシステム識別情報Ｅを記憶するＨＤ９０４、ＣＰＵ９０１の制御にしたがってＨＤ９０４に対する各種データの読み出し又は書き込みを制御するＨＤＤ(Hard Disk Drive)９０５、フラッシュメモリ等の記録メディア９０６に対するデータの読み出し又は書き込み（記憶）を制御するメディアドライブ９０７、カーソル、メニュー、ウィンドウ、文字、又は画像などの各種情報を表示するディスプレイ９０８、通信ネットワーク８を利用してデータ通信するためのネットワークＩ／Ｆ９０９、文字、数値、各種指示などの入力のための複数のキーを備えたキーボード９１１、各種指示の選択や実行、処理対象の選択、カーソルの移動などを行うマウス９１２、着脱可能な記録媒体の一例としてのＣＤ−ＲＯＭ(Compact Disc Read Only Memory)９１３に対する各種データの読み出し又は書き込みを制御するＣＤ−ＲＯＭドライブ９１４、無線通信を行う通信回路９１５及びアンテナ９１５ａ、外部機器を接続するための外部機器Ｉ／Ｆ９１６、並びに、上記各構成要素を電気的に接続するためのアドレスバスやデータバス等のバスライン９１０を備えている。
【００７２】
更に、システム識別情報Ｅは、位置情報管理システム９を識別するための固有の情報である。システム識別情報Ｅとしては、ＩＰアドレスが挙げられる。なお、ＲＯＭ９０２には、ＭＡＣアドレスも記憶されているが、ゲートウェイ７との通信を簡単に説明するため、その説明を省略する。
【００７３】
また、ＨＤ９０４には、図１６に示されているような管理情報（テーブル）Ｆ、及び図２５に示されているような特定のフロアー等のレイアウト情報Ｇが管理される。なお、図１６は、位置情報管理システムが管理する管理情報の概念図である。
【００７４】
図１６に示されているように、管理情報Ｆは、端末識別情報Ａ、機器名、所有者名（管理者名）、位置情報Ｘ、及び受信日時の各種情報が関連付けられた情報である。
【００７５】
このうち、端末識別情報Ａは、上述の如く通信端末５を識別するための情報である。機器名は、管理対象物４の名称又は通信端末５の名称である。所有者名（管理者名）は、通信端末５の所有者又は管理者の名称である。位置情報Ｘは、図６に示された情報である。受信日時は、位置情報管理システム９がゲートウェイ７から位置情報Ｘ等を受信した受信日時である。
【００７６】
また、端末識別情報Ａ、機器名、及び所有者名（管理者名）は、予め位置情報管理システム９で関連付けて管理されている。位置情報管理システム９は、ゲートウェイ７から位置情報Ｘ及び端末識別情報Ａを受信することによって、管理情報Ｆにおける同じ端末識別情報Ａを含むレコード部分に、位置情報Ｘ及び受信日時を追加する。
【００７７】
更に、位置情報管理システム９は、既に位置情報Ｘ及び受信日時を管理している状態で、新たにゲートウェイ７から位置情報Ｘ及び端末識別情報Ａを受信した場合には、既に管理している位置情報Ｘ及び受信日時に対して上書きを行う。
【００７８】
なお、位置情報管理システム９は、位置情報Ｘ及び受信日時の上書きを行わずに、新たなレコードを作成して追加書き込みを行ってもよい。
【００７９】
また、ジョブ処理管理システム６は、位置情報管理システム９と同様に、図１２に示されているような構成のコンピュータによって構成されている。そして、ジョブ処理管理システム６は、ユーザによって管理対象物４ｈ（モバイル端末）や管理対象物４ｇ（パソコン）等の情報処理端末から送られて来た印刷データを記憶して管理する。位置管理システム１では、情報処理端末が、直接、管理対象物４ｅ（ＭＦＰ）等のジョブ処理装置に印刷データを送信して、ジョブ処理装置で印刷するのではなく、情報処理装置は、一旦、ジョブ処理管理システム６に印刷データを送信しておく。この際、印刷データと共に通信端末５ｈに記憶されている端末識別情報Ａｈも送信される。そして、ジョブ処理管理システム６では、印刷データと端末識別情報Ａｈとを関連付けて管理しておく。そして、ユーザが最寄のジョブ処理装置まで行って、ユーザの通信端末５ａをジョブ処理装置にかざすことで、ジョブ処理装置が、通信端末５ａから端末識別情報５ｈを読み取り、ジョブ処理管理システムに端末識別情報５ｈを送信する。これにより。ジョブ処理管理システム６は、端末識別情報５ｈに関連付けられていた印刷データを、ジョブ処理装置に送信する。この一連の処理によって初めて、ジョブ処理装置は、印刷データの印刷を行うことができる。このように、ユーザがジョブ処理装置まで行ってからでなければ、印刷データを印刷することができないため、他のユーザが印刷物を見たり、持ち去ったりすることを防ぐことができるという効果を奏する。
【００８０】
なお、ジョブ処理管理システム６は、情報処理端末から印刷データを受信した後、印刷データに係る印刷枚数や印刷データ量も管理することができる。また、ジョブ処理装置が複数台ある場合には、ジョブ処理管理システム６は、端末識別情報Ａｈを送信して来たジョブ処理装置に対して、印刷データを送信する。
【００８１】
続いて、図１３乃至図１５を用いて、本実施形態の位置管理システム１の機能構成について説明する。なお、図１３乃至図１５を用いて機能構成を説明するに際し、図５、図７、図１０、図１１、及び図１２に示されているハードウェア構成との関係についても簡単に説明する。
【００８２】
図１３は、配信装置及び通信端末の機能ブロック図である。図１３に示されているように、配信装置３は、機能又は手段として、変換部１０、配信制御部２０、無線通信制御部３０を有している。このうち、変換部１０は、図５に示されている電圧変換器１００が動作することによって実現される機能又は手段である。
【００８３】
また、配信制御部２０は、図５に示されている制御部１１及び位置情報配信部１２が動作することによって実現される機能又は手段である。更に、無線通信制御部３０は、図５に示されている制御部１１及び無線通信部１３が動作することによって実現される機能又は手段である。
【００８４】
配信制御部２０は、図５に示されているＲＯＭ２０２によって構築される記憶部２９を有している。この記憶部２９には、上述の位置情報Ｘが記憶されている。更に、配信制御部２０は、配信部２１、通信部２７、及び記憶・読出部２８を有している。
【００８５】
このうち、配信部２１は、主に、図５に示されているＣＰＵ２０１及び通信回路２０４の処理によって実現され、配信可能な範囲内に位置情報Ｘを配信する。
【００８６】
通信部２７は、主に、図５に示されているＣＰＵ（１０１，２０１）の処理、並びに、Ｉ／Ｆ（１０８ａ，２０８）及びバス（１０９，２０９）によって実現され、無線通信制御部３０とのデータ（信号）の通信を行う。
【００８７】
記憶・読出部２８は、ＣＰＵ（１０１，２０１）の処理によって実現され、記憶部２９に各種データを記憶したり、記憶部２９から各種データを読み出す。記憶・読出部２８は、例えば、位置情報Ｘのデータの記憶や読み出しを行う。
【００８８】
また、無線通信制御部３０は、図５に示されているＲＡＭ３０３によって構築される記憶部３９を有している。この記憶部３９には、上述の装置識別情報Ｂが記憶されている。
【００８９】
送受信部３１は、主に、図５に示されているＣＰＵ３０１及び通信回路３０４の処理によって実現され、無線通信によって、通信端末５又はゲートウェイ７と各種データの送受信を行う。
【００９０】
通信部３７は、主にＣＰＵ（１０１，３０１）の処理、並びにＩ／Ｆ（１０８Ｂ，３０８）及びバス（１０９，３０９）によって実現され、配信制御部２０とのデータ（信号）の通信を行う。
【００９１】
記憶・読出部３８は、記憶部３９に各種データを記憶したり、記憶部３９から各種データを読み出す。
【００９２】
次に、通信端末５の機能構成を説明する。
【００９３】
通信端末５は、機能又は手段として、受信制御部４０及び無線通信制御部５０を有している。
【００９４】
受信制御部４０は、図７に示されているＲＡＭ４０３によって構築される記憶部４９を有している。この記憶部４９には、配信装置３から配信された位置情報Ｘを記憶することができる。更に、受信制御部４０は、受信部４１、検知部４２、判断部４３、測定部４４、通信部４７、及び記憶・読出部４８を有している。
【００９５】
このうち、受信部４１は、主に、図７に示されているＣＰＵ４０１及び通信回路４０４の処理によって実現され、配信装置３から配信された位置情報Ｘを受信する。また、受信部４１は、位置情報Ｘを受信可能な状態になったり受信不可能な状態になったりする。
【００９６】
検知部４２は、主に、図７に示されているＣＰＵ４０１及び加速度センサ４０５の処理によって実現され、通信端末５の移動（傾きを含む）を検知し、受信部４１に処理を開始させる。なお、検知部４２は、加速度センサ４０５に代えて、慣性力や磁気を用いたモーションセンサによって実現してもよい。
【００９７】
判断部４３は、主に、図７に示されているＣＰＵ４０１の処理によって実現され、受信部４１によって、少なくとも一つの位置情報Ｘを受信したかを判断する。更に、判断部４３は、受信部４１によって、複数の配信装置３からそれぞれの位置情報Ｘを受信したかを判断する。なお、この場合、同じ配信装置３から配信された位置情報Ｘは、後述の所定時間内に何度受信しても１つとして扱う。
【００９８】
測定部４４は、主に、図７に示されているＣＰＵ４０１の処理によって実現され、判断部４３によって、複数の配信装置３から、それぞれの位置情報Ｘを受信したと判断された場合には、それぞれの位置情報Ｘに係る信号強度を測定する。
【００９９】
通信部４７は、主に、図７に示されているＣＰＵ４０１の処理、並びにＩ／Ｆ４０８及びバス４０９によって実現され、無線通信制御部５０とのデータ（信号）の通信を行う。
【０１００】
記憶・読出部４８は、ＣＰＵ４０１の処理によって実現され、記憶部４９に各種データを記憶したり、記憶部４９から各種データを読み出す。記憶・抽出部４８は、例えば、位置情報Ｘのデータの記憶や読み出しを行う。
【０１０１】
また、無線通信制御部５０は、図５に示されているＲＡＭ５０３によって構築される記憶部５９を有している。この記憶部５９には、上述の端末識別情報Ａが記憶されている。更に、無線通信制御部５０は、送受信部５１、判断部５３、測定部５４、通信部５７、及び記憶・読出部５８を有している。
【０１０２】
送受信部５１は、主に、図７に示されているＣＰＵ５０１及び通信回路５０４の処理によって実現され、無線通信により、配信装置３と各種データの送受信を行う。
【０１０３】
判断部５３は、主に、図７に示されているＣＰＵ５０１の処理によって実現され、受信部５１によって、少なくとも一つの装置識別情報Ｂを受信したかを判断する。更に、判断部５３は、受信部５１によって、複数の配信装置３からそれぞれの装置識別情報Ｂを受信したかを判断する。なお、この場合、同じ配信装置３から送信された装置識別情報Ｂは、後述の所定時間内に何度受信しても１つとして扱う。
【０１０４】
測定部５４は、主に、図７に示されているＣＰＵ５０１の処理によって実現され、判断部５３によって、複数の配信装置３から、それぞれの装置識別情報Ｂを受信したと判断された場合には、それぞれの装置識別情報Ｂに係る信号強度を測定する。
【０１０５】
通信部５７は、主に、図７に示されているＣＰＵ５０１の処理、並びにＩ／Ｆ５０８及びバス５０９によって実現され、受信制御部４０とのデータ（信号）の通信を行う。
【０１０６】
記憶・読出部５８は、主に、図７に示されているＣＰＵ５０１の処理によって実現され、記憶部５９に各種データを記憶したり、記憶部５９から各種データを読み出す。記憶・抽出部５８は、例えば、装置識別情報（Ａ，Ｂ）のデータの記憶や読み出しを行う。
【０１０７】
次に、図１４を用いて、管理対象物（４ｇ，４ｈ）の場合の機能構成について説明する。なお、図１４は、管理対象物が携帯電話機又はパソコンの場合の機能ブロック図である。
【０１０８】
図１４に示されているように、管理対象物（４ｇ，４ｈ）は、図１０に示されているＥＥＰＲＯＭ６０４、又は図１２に示されているＲＡＭ９０３及びＨＤ(Hard Disk)９０４によって構築される記憶部５９ｓを有している。更に、管理対象物（４ｇ，４ｈ）は、受信部４１ｓ、検知部４２ｓ、判断部４３ｓ、測定部４４ｓ、送受信部５１ｓ、判断部５３ｓ、測定部５４ｓ、及び記憶・読出部５８ｓを有している。
【０１０９】
このうち、受信部４１ｓは、主に、図１０に示されているＣＰＵ６０１及びＧＰＳ受信部４１ｓ４の処理、又は図１２に示されているＣＰＵ９０１及び外部機器Ｉ／Ｆ９１６に接続されるＧＰＳアンテナの処理によって実現され、受信部４１と同様の機能を有する。
【０１１０】
検知部４２ｓは、主に、図１０に示されているＣＰＵ６０１及び加速度・方位センサ６０６の処理、又は図１２に示されているＣＰＵ９０１及び外部機器１／Ｆ９１６に接続される加速度センサの処理によって実現され、検知部４２と同様の機能を有する。
【０１１１】
判断部４３ｓは、主に、図１０に示されているＣＰＵ６０１の処理、又は図１２に示されているＣＰＵ９０１によって実現され、判断部４３と同様の機能を有する。
【０１１２】
測定部４４ｓは、主に、図１０に示されているＣＰＵ６０１の処理、又は図１２に示されているＣＰＵ９０１の処理によって実現され、測定部４４と同様の機能を有する。
【０１１３】
送受信部５１ｓは、主に、図１０に示されているＣＰＵ６０１及び通信部６１３の処理、又は図１２に示されているＣＰＵ９０１及び通信回路９１５の処理によって実現され、送受信部５１と同様の機能を有する。
【０１１４】
判断部５３ｓは、主に、図１０に示されているＣＰＵ６０１の処理、又は図１２に示されているＣＰＵ９０１の処理によって実現され、判断部５３と同様の機能を有する。
【０１１５】
測定部５４ｓは、主に、図１０に示されているＣＰＵ６０１の処理、又は図１２に示されているＣＰＵ９０１の処理によって実現され、測定部５４と同様の機能を有する。
【０１１６】
記憶・読出部５８ｓは、主に、図１０に示されているＣＰＵ６０１の処理、又は図１２に示されているＣＰＵ９０１の処理によって実現され、記憶・読出部４８又は記憶・読出部５８と同様の機能を有する。
【０１１７】
次に、図１５を用いて、ゲートウェイ７の機能構成を説明する。なお、図１５は、ゲートウェイ、位置情報管理システム、及びジョブ処理管理システムの機能ブロック図である。
【０１１８】
ゲートウェイ７は、機能又は手段として、無線通信制御部７０及び有線通信制御部８０を有している。
【０１１９】
無線通信制御部７０は、図１１に示されている無線通信部１７の処理によって実現され、基本的に配信装置３の無線通信制御部３０と同様の機能を有している。
【０１２０】
具体的には、無線通信制御部７０は、図１１に示されているＲＡＭ７０３によって構築される記憶部７９を有している。この記憶部７９には、上述の装置識別情報Ｃが記憶されている。また、無線通信制御部７０は、送受信部７１、通信部７７、及び記憶・読出部７８を有している。
【０１２１】
このうち、送受信部７１は、主に、図１１に示されているＣＰＵ７０１及び通信回路７０４の処理によって実現され、無線通信によって、配信装置３と各種データの送受信を行う。
【０１２２】
通信部７７は、主にＣＰＵ７０１の処理、並びに、Ｉ／Ｆ７０８及びバス７０９によって実現され、有線通信制御部８０とのデータ（信号）の通信を行う。
【０１２３】
記憶・読出部７８は、主にＣＰＵ８０１の処理によって実現され、記憶部７９に各種データを記憶したり、記憶部７９から各種データを読み出す。
【０１２４】
また、有線通信制御部８０は、図１１に示されている有線通信部１８の処理によって実現される。この有線通信制御部８０は、図１１に示されているＲＡＭ８０３によって構築される記憶部８９を有している。この記憶部８９には、上述の装置識別情報Ｄが記憶されている。更に、有線通信制御部８０は、送受信部８１、変換部８２、通信部８７、及び記憶・読出部８８を有している。
【０１２５】
このうち、送受信部８１は、主に図１１に示されているＣＰＵ８０１の処理及びＩ／Ｆ８０８ｂによって実現され、有線通信によって、位置情報管理システム９と各種データの送受信を行う。
【０１２６】
変換部８２は、主に図１１に示されているＣＰＵ８０１及びイーサネットコントローラ８０５の処理によって実現され、上述のように、通信方式を変換することで、配信装置３から送られて来た各種データ（情報）を、イーサネットのパケット通信ができるように制御する。
【０１２７】
通信部８７は、主にＣＰＵ８０１の処理、並びに、Ｉ／Ｆ８０８ａ及びバス８０９によって実現され、無線通信制御部７０とのデータ（信号）の通信を行う。
【０１２８】
記憶・読出部８８は、主にＣＰＵ８０１の処理によって実現され、記憶部８９に各種データを記憶したり、記憶部８９から各種データを読み出す。
【０１２９】
次に、図１５を用いて、位置情報管理システム９の機能構成を説明する。
【０１３０】
位置情報管理システム９は、図１２に示されているＲＡＭ９０３及びＨＤ９０４によって構築される記憶部９９を有している。この記憶部９９には、上述のシステム識別情報Ｅ以外に、位置情報管理テーブルＦ、管理対象管理テーブルＧ、レイアウトマップリストＨ、識別情報管理テーブルＩ、及び、視覚情報管理テーブルＪが記憶されている。なお、視覚情報は、視覚的に示された形態の各種アイコン等であり、アイコンだけでなく、アイコン及び文字の組み合わせ、又は、文字のみであってもよい。
【０１３１】
（位置情報管理テーブルＦ）
図１６は、位置情報管理テーブルＦの概念図である。図１６に示されているように、位置情報管理テーブルＦでは、通信端末５を識別するための端末識別情報Ａ、通信端末５から送られて来た位置情報Ｘ、並びに、位置情報管理システム９が端末識別情報Ａ及び位置情報Ｘを受信した受信日時が関連付けられて管理されている。なお、位置情報Ｘでは、緯度、経度、棟、及び階数が示されている。
【０１３２】
（管理対象管理テーブルＧ）
図１７は、管理対象管理テーブルＧの概念図である。図１７に示されているように、管理対象管理テーブルＧでは、端末識別情報Ａ、管理対象物（又は管理対象者）４の種類を示す管理対象種類、管理対象物（又は管理対象者）４の名称を示す管理対象名、管理対象物（又は管理対象者）の所有者名（又は管理者名）を示す所有者名（管理者名）が関連付けられて管理されている。
【０１３３】
（レイアウトマップリストＨ）
図１８は、レイアウトマップリストＨの概念図である。図１８に示されているように、レイアウトマップリストＨでは、棟、階数、及び、レイアウトマップ（ファイル名）が関連付けられて管理されている。例えば、Ａ棟の１階のレイアウトマップのファイル名は、rico001A1.jpgである。
【０１３４】
（視覚情報管理テーブルＪ）
図１９（Ａ）は視覚情報管理テーブルＪ１の概念図、図１９（Ｂ）は視覚情報管理テーブルＪ２の概念図である。図１９（Ａ）に示されているように、視覚情報管理テーブルＪ１では、処理量情報毎に、各処理量情報で示されるジョブ処理の量に応じて矩形の数が異なる矩形アイコン（第１の視覚情報の一例）が関連付けられて管理されている。なお、処理量情報は、ＭＦＰ等のジョブ処理装置で処理される量であり、例えば、ジョブ処理が印刷の場合は、印刷枚数を示している。
【０１３５】
また、図１９（Ｂ）に示されているように、視覚情報管理テーブルＪ２では、管理対象種類毎に、視覚情報が関連付けられて管理されている。例えば、管理対象種類がユーザの場合には、視覚情報として人型アイコン（第２の視覚情報の一例）が関連付けられて管理されている。更に、管理対象種類がジョブ処理装置の一例であるＭＦＰの場合には、視覚情報としてＭＦＰアイコン（第３の視覚情報の一例）が関連付けられて管理されている。また、管理対象種類がジョブ処理装置の一例であるＰＲＩＮＴＥＲの場合には、視覚情報としてＰＲＩＮＴＥＲアイコン（第３の視覚情報の一例）が関連付けられて管理されている。
【０１３６】
（機能構成）
更に、位置情報管理システム９は、機能又は手段として、送受信部９１、操作入力受付部９２、判断部９３、表示制御部９４、割当部９５及び記憶・読出部９８を有している。
【０１３７】
このうち、送受信部９１は、主に、図１２に示されているＣＰＵ９０１の処理、並びにネットワークＩ／Ｆ９０９又は通信回路９１５によって実現され、通信ネットワーク８を介して、ゲートウェイ７と各種データの送受信を行う。また、送受信部９１は、通信ネットワーク８を介して、屋外γの通信端末５ｈと各種データの送受信を行う。更に、送受信部９１は、通信ネットワーク８を介して、ジョブ処理管理システム６と各種データの送受信を行う。
【０１３８】
操作入力受付部９２は、主にＣＰＵ９０１の処理、並びにキーボード９１１及びマウス９１２によって実現され、管理者から各種の選択又は入力を受け付ける。
【０１３９】
判断部９３は、主にＣＰＵ９０１の処理によって実現され、ジョブ処理を行うジョブ処理装置の位置の管理に用いられる第１の通信端末（例えば、通信端末５ｅ）の位置を示す第１の位置情報と、ユーザＵ１の位置の管理に用いられる第２の通信端末（例えば、通信端末５ｈ）の位置を示す第２の位置情報とが同じかを判断する。これにより、ジョブ処理装置のエリア内にユーザがいるか否かが判断される。更に、判断部９３は、第１の位置情報と第２の位置情報とが同じであると判断した場合に、ユーザＵ１によるジョブ処理の予約状況を示す予約状況情報に基づき、ユーザによるジョブ処理の予約が行われていたかを判断する。
【０１４０】
表示制御部９４は、ディスプレイ９０８に各種画像や文字等を表示させるための制御を行う。
【０１４１】
割当部９５は、第１又は第２の位置情報に基づき、記憶・読出部９８によって読み出されたデータに係るレイアウトマップ上に、同じく記憶・読出部９８によって読み出された第１の視覚情報を割り当てる。
【０１４２】
記憶・読出部９８は、主にＣＰＵ９０１の処理によって実現され、記憶部９９に各種データを記憶したり、記憶部９９から各種データを読み出す。
【０１４３】
次に、図１５を用いて、ジョブ処理管理システム６の機能構成を説明する。
【０１４４】
ジョブ処理管理システム６は、図１２に示されているＲＡＭ９０３及びＨＤ９０４によって構築される記憶部６９を有している。この記憶部６９には、ユーザＵ２によって、ジョブ処理の予約のために、管理対象物４ｇ（パソコン）や管理対象物４ｈ（モバイル端末）等から送られて来た印刷データＰが記憶される。また、記憶部６９には、印刷データ管理テーブルＫが記憶されている。
【０１４５】
（印刷データ管理テーブルＫ）
図２０は、印刷データ管理テーブルＫの概念図である。図２０に示されているように、印刷データ管理テーブルＫでは、端末識別情報Ａ、印刷データ（のファイル名）、及び処理量情報が関連付けられて管理されている。
【０１４６】
（機能構成）
更に、ジョブ処理管理システム６は、機能又は手段として、送受信部６１、記憶・読出部６８を有している。
【０１４７】
このうち、送受信部６１は、主に、図１２に示されているＣＰＵ９０１の処理、並びにネットワークＩ／Ｆ９０９又は通信回路９１５によって実現され、通信ネットワーク８を介して、ゲートウェイ７やジョブ処理管理システム６と各種データの送受信を行う。
【０１４８】
記憶・読出部６８は、主にＣＰＵ９０１の処理によって実現され、記憶部６９に各種データを記憶したり、記憶部９９から各種データを読み出す。
【０１４９】
続いて、図２１及び図３２を用い、本実施形態の動作について説明する。
【０１５０】
まず最初に、図２１を用い、屋内αの天井βにおける通信ネットワークを構築する処理を説明する。なお。図２１は、天井の通信ネットワークを構築する処理を示したシーケンス図である。
【０１５１】
まず、ユーザが屋内αの各電気機器２の電源をオンにすると、各配信装置３の無線通信制御部３０における記憶・読出部３８（図１３参照）は、各記憶部３９から各装置識別情報Ｂを読み出す（ステップＳ１）。そして、各送受信部３１は、ゲートウェイ７に対して、自己の装置識別情報Ｂを含めた参加要求を行う（ステップＳ２）。これにより、ゲートウェイ７の無線通信制御部７０における送受信部７１が、参加要求を受信する。
【０１５２】
次に、無線通信制御部７０の記憶・読出部７８は、記憶部７９から装置識別情報Ｃを読み出す（ステップＳ３）。そして、送受信部７１は、配信装置３に対して、装置識別情報（Ｂ，Ｃ）を含めた参加応答を行う（ステップＳ４）。これにより、配信装置３の無線通信制御部３０における送受信部３１は、参加応答を受信する。この場合、参加応答には、上記ステップＳ２によって送信された装置識別情報Ｂが含まれているため、無線通信制御部３０は、上記ステップＳ２に関連した処理として、上記ステップＳ４における受信の処理を行う。そして、記憶・読出部３８は、記憶部３９に装置識別情報Ｃを記憶する（ステップＳ５）。このように、配信装置３側で、ゲートウェイ７の装置識別情報Ｃを記憶することで、配信装置３とゲートウェイ７との間の通信ネットワークが構築される。
【０１５３】
続いて、図２２を用いて、図１に示す屋内αの天井βの配信装置３から床方向に、位置情報を配信する処理を説明する。なお、図２２は、位置情報を配信する処理を示したシーケンス図である。図２２では、簡単に説明するために、２つの配信装置（３ａ、３ｂ）によって構築された配信システム３´を用いた場合について説明する。ここでは、配信装置３ａは位置情報Ｘａを配信し、配信装置３ｂは位置情報Ｘｂを配信する。また、図２２では、配信装置（３ａ，３ｂ）がそれぞれ位置情報（Ｘａ，Ｘｂ）を配信可能な範囲内に、通信端末５が存在している場合を示している。
【０１５４】
まず、配信装置３ａの配信制御部２０における記憶・読出部２８は、記憶部２９から自己の位置情報Ｘａを読み出す（ステップＳ２３−１）。そして、配信装置３ａの配信制御部２０における配信部２１は、配信可能な範囲内に位置情報Ｘａを配信する（ステップＳ２４−１）。また同じく、配信装置３ｂの配信制御部２０における記憶・読出部２８は、記憶部２９から自己の位置情報Ｘｂを読み出す（ステップＳ２３−２）。そして、配信装置３ｂの配信制御部２０における配信部２１は、配信可能な範囲内に位置情報Ｘｂを配信する（ステップＳ２４−２）。なお、位置情報（Ｘａ，Ｘｂ）が配信されたとしても、通信端末５では受信部４１が始動していなければ、位置情報（Ｘａ，Ｘｂ）を受信することができない。
【０１５５】
続いて、図２３を用いて、通信端末５が利用する位置情報Ｘを決定すると共に、位置情報Ｘの送信先となる配信装置３を決定する処理を説明する。なお、図２３は、通信端末が利用する位置情報を決定すると共に、位置情報の送信先となる配信装置を決定する処理を示したシーケンス図である。図２３では、通信端末５は、配信装置３ａから位置情報Ｘａを受信するが、この位置情報Ｘａを、送信元の配信装置３ａではなく配信装置３ｂに送信する場合を示している。
【０１５６】
まず、図２３に示されているように、通信端末５の受信制御部４０における記憶・読出部４８は、配信装置３ａから配信された位置情報Ｘａ、及び配信装置３ｂから配信された位置情報Ｘｂのうち、通信端末５で受信した際の信号強度が最も高いものを記憶部４９に記憶する（ステップＳ４１）。これにより、この記憶された位置情報Ｘで示される位置が通信端末５の位置として、後ほど位置情報管理システム９で管理されることになる。
【０１５７】
ここで、上記ステップＳ４１に関し、図２４を用いて、更に詳細に説明する。なお、図２４は、通信端末が位置情報を受信してから記憶するまでの処理を示したフローチャートである。
【０１５８】
まず、通信端末５の受信制御部４０における検知部４２は、通信端末５の移動の開始を検知し続ける（ステップＳ４１−１，Ｓ４１−２のＮＯ）。そして、検知部４２が通信端末５の移動の開始を検知した場合には（ステップＳ４１−２のＹＥＳ）、更に、検知部４２は通信端末５の移動の停止を検知し続ける（ステップＳ４１−３，Ｓ４１−４のＮＯ）。より具体的には、図７に示されているＣＰＵ４０１の処理が停止中の場合、加速度センサ４０５は、加速度の変化を検出することに基づき、ＣＰＵ４０１に対して、通信端末５が移動を開始した旨（ＣＰＵ４０１の処理を始動させる旨）の信号を送信する。これにより、ＣＰＵ４０１は、自己の処理を始動させる。そして、ＣＰＵ４０１は、加速度センサ４０５から、通信端末５の移動が停止した旨の信号を受信するまで、自己の処理を始動させたままの状態を維持する。なお、この場合の通信端末５の移動には、通信端末５が傾いた場合も含まれる。
【０１５９】
次に、上記ステップＳ４１−４において、検知部４２が通信端末５の移動の停止を検知した場合には（ステップＳ４１−４のＹＥＳ）、更に、受信部４１は、配信装置３から配信されている位置情報Ｘを受信可能な状態になる（ステップＳ４１−５）。より具体的には、図７に示されているＣＰＵ４０１が、加速度センサ４０５から通信端末５の移動が停止した旨の信号を受信すると、ＣＰＵ４０１は、通信回路４０４へ通信回路４０４の処理を始動させるための信号を送信する。これにより、通信回路４０４は、自己の処理を始動させる。ここで、位置情報（Ｘａ，Ｘｂ）が各配信装置（３ａ，３ｂ）からそれぞれ配信されている場合、通信端末５の制御部１４における通信回路４０４は、アンテナ４０４ａを介して位置情報（Ｘａ，Ｘｂ）の受信を開始することができる。
【０１６０】
次に、判断部４３は、受信部４１が位置情報Ｘを受信可能な状態になってから所定時間内（例えば、５秒以内）に、少なくとも１つの位置情報Ｘを受信したかを判断する（ステップＳ４１−６）。ここでは、所定時間内に、２つの位置情報（Ｘａ，Ｘｂ）が受信されている場合について更に説明する。
【０１６１】
また、上記ステップＳ４１−６において、判断部４３が、少なくとも１つの位置情報Ｘが受信されたと判断した場合には（ＹＥＳ）、更に、判断部４３は、複数の位置情報Ｘを受信したかを判断する（ステップＳ４１−７）。
【０１６２】
次に、ステップＳ４１−７において、複数の位置情報Ｘが受信されたと判断された場合には（ＹＥＳ）、測定部４４は、受信部４１で受信された際の各位置情報Ｘに係る信号強度を測定する（ステップＳ４１−８）。ここでは、測定の結果、位置情報Ｘａの信号強度が、位置情報Ｘｂの信号強度よりも高い場合について更に説明する。
【０１６３】
次に、記憶・読出部４８は、記憶部４９に、上記ステップＳ４１−８の測定によって最も信号強度が高い位置情報Ｘを記憶する（ステップＳ４１−９）。ここでは、位置情報Ｘａが記憶されることになる。
【０１６４】
一方、上記ステップＳ４１−６において、判断部４３が、所定時間内に少なくとも一つの位置情報Ｘが受信されなかったと判断した場合には（ＮＯ）、記憶・読出部４８は、記憶部４９に、受信を失敗した旨を示す失敗情報を記憶する（ステップＳ４１−１０）。
【０１６５】
また、上記ステップＳ４１−７において、判断部４３が、所定時間内に複数の位置情報Ｘが受信されなかったと判断した場合には（ＮＯ）、記憶・読出部４８は、唯一受信された位置情報Ｘを記憶する（ステップＳ４１−１１）。
【０１６６】
そして、上記ステップＳ４１−９，１０，１１の処理後、受信部４１は、処理を停止することで、位置情報Ｘを受信不可能な状態になる（ステップＳ４１−１２）。より具体的には、図７に示されているＣＰＵ４０１は、通信回路４０４へ、通信回路４０４の処理を停止させるための信号を送信する。このように、通信端末５が移動した後、停止した場合のみ、位置情報Ｘが受信される処理が行われるため、たとえ、ボタン電池４０６のような容量が小さい電池を用いた場合であっても、電池交換の頻度を極力少なくすることができ、省電力（省エネ）化に寄与することができるという効果を奏する。
【０１６７】
なお、上記では、通信端末５の移動の開始後（ステップＳ４１−２のＹＥＳ）、通信端末５の移動の停止（ステップＳ４１−４のＹＥＳ）によって、受信部４１は位置情報Ｘを受信可能な状態になる（ステップＳ４１−５）。即ち、移動の開始及び移動の停止の両方が行われることが、受信部４１が位置情報Ｘの受信可能な状態となるトリガである。しかし、これに限るものではなく、例えば、通信端末５の移動の開始（ステップＳ４１−２のＹＥＳ）によって、受信部４１が位置情報Ｘを受信可能な状態になってもよい。即ち、上記ステップＳ４１−３，４を省略し、移動の開始が行われることが、受信部４１が位置情報Ｘの受信可能な状態となるトリガとしてもよい。また、例えば、上記ステップＳ４１−１，２を省略し、移動の停止が行われることが、受信部４１が位置情報Ｘの受信可能な状態となるトリガとしてもよい。
【０１６８】
続いて、図２３に戻り、受信制御部４０の通信部４７は、無線通信制御部５０に対して、動作を開始する命令を行う（ステップＳ４２）。これにより、無線通信制御部５０の通信部５７は、動作を開始する命令を受け付けることで、以下に示す処理を開始する。
【０１６９】
まず、通信端末５の無線通信制御部５０における記憶・読出部５８は、記憶部５９から自己の端末識別情報Ａを読み出す（ステップＳ４３）。そして、送受信部５１は、配信装置（３ａ，３ｂ）に、端末識別情報Ａを含んだ参加要求を行う（ステップＳ４４）。これによって、配信装置（３ａ，３ｂ）は、それぞれ通信端末５から参加要求を受け付ける。
【０１７０】
次に、配信装置３ａの無線通信制御部３０における記憶・読出部３８は、記憶部３９から自己の装置識別情報Ｂａを読み出す（ステップＳ４５−１）。そして、配信装置３ａの送受信部３１は、通信端末５に対して、端末識別情報Ａ及び装置識別情報Ｂａを含めた参加応答を行う（ステップＳ４６−１）。これにより、通信端末５の無線通信制御部５０における送受信部５１は、参加応答を受信する。この場合、参加応答には、上記ステップＳ４４によって送信された端末識別情報Ａが含まれているため、通信端末５は、上記ステップＳ４４に関連した処理として、上記ステップＳ４６−１における受信の処理を行う。そして、通信端末５の無線通信制御部５０における記憶・読出部５８は、記憶部５９に装置識別情報Ｂａを記憶する（ステップＳ４７−１）。
【０１７１】
一方、配信装置３ｂ側でも同じように、配信装置３ｂの無線通信制御部３０における記憶・読出部３８は、記憶部３９から自己の装置識別情報Ｂｂを読み出す（ステップＳ４５−２）。また、配信装置３ｂの送受信部３１は、通信端末５に対して、端末識別情報Ａ及び装置識別情報Ｂｂを含めた参加応答を行う（ステップＳ４６−２）。これにより、通信端末５の無線通信制御部５０における送受信部５１は、参加応答を受信する。そして、通信端末５の無線通信制御部５０における記憶・読出部５８は、記憶部５９に装置識別情報Ｂｂを記憶する（ステップＳ４７−２）。
【０１７２】
次に、無線通信制御部５０は、配信装置３から受信した位置情報Ｘ及び自己の端末識別情報Ａの送信先である配信装置３を決定する処理を行う（ステップＳ４８）。ここで、図２６を用いて、ステップＳ４８の処理について詳細に説明するが、その前に、図５、図１３、及び図２５を用いて、ステップＳ４８の処理を行う背景について説明する。なお、図２５は、配信装置と通信端末との通信状況を示したイメージ図である。
【０１７３】
図１３に示されているように、配信装置３の配信制御部２０と通信端末５の受信制御部４０との間の通信は、配信装置３の無線通信制御部３０と通信端末５の無線通信制御部５０との間の通信と独立している。そして、受信制御部４０は配信元の配信装置３から位置情報Ｘを受信する一方で、無線通信制御部５０は自己の端末識別情報Ａと共に配信装置３に位置情報Ｘを送り返す。
【０１７４】
しかし、各配信装置３の全てに、配信制御部２０及び無線通信制御部３０を設けようとすると、屋内αのフロア面積が広い場合、多数の配信装置３を設置することになるため、設置コストが非常に掛かる場合がある（パターン１）。
【０１７５】
また、配信装置３ａは位置情報Ｘａを配信することができるが、配信装置３ａの無線通信制御部３０が故障しているため、通信端末５から端末識別情報Ａ及び位置情報Ｘａを受信することができない場合がある（パターン２）。
【０１７６】
更に、複数の配信装置３が天井βに設置されている場合、屋内αにおける通信端末５の位置によっては、配信装置３ｂの配信制御部２０（ステップＳ２４−２参照）よりも配信装置３ａの配信制御部２０（ステップＳ２４−１参照）から受信した位置情報Ｘのデータの信号強度が高いにも拘わらず、配信装置３ａの無線通信制御部３０（ステップＳ４６−１）よりも配信装置３ｂの無線通信制御部３０（ステップＳ４６−２）から受信した参加応答のデータの信号強度が高い場合がある（パターン３）。
【０１７７】
上記各パターン１乃至３の場合、図２５に示されているように、通信端末５ｈは、配信元である配信装置３ａから位置情報Ｘａを受信するが、配信装置３ａとは異なる送信先としての配信装置３ｂに対して、自己の端末識別情報Ａと共に位置情報Ｘａを送信することになる。以下では、図１３及び図２４を用いて、このような配信元と送信先が異なる場合の例を説明する。なお、図２６は、送信先を決定する処理を示したフローチャートである。
【０１７８】
図１３に示されている通信端末５の無線通信制御部５０における判断部５３は、送受信部５１が上記ステップＳ４４によって各配信装置（３ａ，３ｂ）に参加要求を行ってから所定時間内（例えば、５秒以内）に、少なくとも１つの参加応答を受信したかを判断する（ステップＳ４８−１）。即ち、判断部５３は、端末識別情報Ａの送信を開始してから所定時間内に、少なくとも１つの装置識別情報Ｂを受信したかを判断する。
【０１７９】
次に、上記ステップＳ４８−１において、判断部５３が、少なくとも１つの参加応答を受信したと判断した場合には（ＹＥＳ）、更に、判断部５３は、複数の参加応答を受信したかを判断する（ステップＳ４８−２）。即ち、判断部５３は、端末識別情報Ａの送信を開始してから所定時間内に、複数の装置識別情報Ｂを受信したかを判断する。
【０１８０】
次に、上記ステップＳ４８−２において、複数の参加応答が受信されたと判断された場合には（ＹＥＳ）、測定部５４は、送受信部５１で受信された際の参加応答に係る信号強度を測定する（ステップＳ４８−３）。ここでは、上記ステップＳ４６−１，２において、通信端末５の無線通信制御部５０は、各配信装置（３ａ，３ｂ）から参加応答を受信しているため、ステップＳ４８−３の処理を実行する。
【０１８１】
次に、上記ステップＳ４８−３の処理による測定の結果、配信装置３ｂからの参加応答の信号強度が、配信装置３ａからの参加応答の信号強度よりも高い場合について更に説明する。図２６に示されているように、記憶・読出部５８は、上記ステップＳ４８−３によって測定された信号強度のうち、最大の信号強度である参加応答に含まれている装置識別情報Ｂ（ここでは、装置識別情報Ｂｂ）を、記憶部５９に記憶する（ステップＳ４８−４）。
【０１８２】
なお、上記ステップＳ４８−１において、判断部５３が、所定時間内に少なくとも一つの参加応答が受信されなかったと判断した場合には（ＮＯ）、送信先を決定する処理は終了する。また、上記ステップＳ４８−２において、判断部５３が、複数の参加応答が受信されなかったと判断した場合には（ＮＯ）、記憶・読出部５８は、記憶部５９に、唯一受信された参加応答に含まれている装置識別情報Ｂを記憶する（ステップＳ４８−５）。
【０１８３】
以上より、記憶・読出部５８に記憶された装置識別情報Ｂで示される配信装置３が、通信端末５の送信先として決定されることになる。
【０１８４】
そして、上記ステップＳ４８−４，５の処理後、送受信部５１は、上記ステップＳ４８によって決定された送信先に対して、図９に示されているような情報のデータ構造を作成する（ステップＳ４９）。この場合のデータ構造は、送信先である配信装置３ｂの装置識別情報Ｂｂ、送信元である通信端末５ｈの端末識別情報Ａｈ、及び、データ内容（ここでは、配信元である配信装置３ａの位置情報Ｘａ）が順に配列された状態になっている。
【０１８５】
次に、送受信部５１は、配信装置３ｂに対して、上記ステップＳ４９によって作成されたデータ構造の情報を送信する（ステップＳ５０）。これによって、配信装置３ｂの無線通信制御部３０は、通信端末５ｈから送信されてきた情報を受信する。
【０１８６】
そして、通信端末５ｈでは、無線通信制御部５０の送受信部５１、判断部５３、測定部５４、通信部５７及び記憶・読出部５８の処理が停止する（ステップＳ５１）。このように、送受信部５１が、配信装置３に対して、位置情報Ｘ等の情報を送信し終えると、無線通信制御部５０の各構成部の処理が停止することで、省エネを実現することができるという効果を奏する。なお、無線通信制御部５０の各構成部は、上記ステップＳ４２によって受信制御部４０から、新たに開始命令を受け取ることで、再始動することができる。
【０１８７】
続いて、図２７を用い、位置情報Ｘを含む情報が、配信装置３で受信されてから、位置情報管理システム９で管理情報Ｆとして管理されるまでの処理について説明する。なお、図２７は、位置情報を管理する処理を示したシーケンス図である。
【０１８８】
図２７に示されているように、まず、配信装置３ｂの無線通信制御部３０は、上記ステップＳ４９の処理のように、ゲートウェイ７に送信する情報のデータ構造を作成する（ステップＳ６１）。この場合のデータ構造は、送信先であるゲートウェイ７の装置識別情報Ｃ、送信元である配信装置３ｂの装置識別情報Ｂｂ、及び、データ内容（配信元である配信装置３ａの位置情報Ｘａ及び位置情報Ｘａの送信元である通信端末５の端末識別情報Ａ）が順に配列された状態になっている。
【０１８９】
次に、配信装置３ｂの無線通信制御部３０における送受信部３１は、ゲートウェイ７に対して、上記ステップＳ６１によって作成されたデータ構造の情報を送信する（ステップＳ６２）。これによって、ゲートウェイ７の無線通信制御部７０における送受信部７１は、配信装置３ｂから送信されてきた情報を受信する。
【０１９０】
次に、無線通信制御部７０の通信部７７は、同じくゲートウェイ７の通信部８７に対して、上記ステップＳ６２によって受信された情報を転送する（ステップＳ６３）。これにより、有線通信制御部８０は、無線通信制御部７０から転送されて来た情報を受信する。
【０１９１】
次に、有線通信制御部８０の変換部８２は、IEEE802.15.4に準拠した通信方式を、IEEE802.3に準拠した通信方式に変換して、配信装置３ｂから送られて来た情報を、イーサネットのパケット通信ができるように制御する。そして、有線通信制御部８０の送受信部８１は、上記ステップＳ６１の処理のように、位置情報管理システム９に送信する情報のデータ構造を作成する（ステップＳ６５）。この場合のデータ構造は、送信先である位置情報管理システム９のシステム識別情報Ｅ、送信元であるゲートウェイ７の装置識別情報Ｄ、及び、データ内容（配信元である配信装置３ａの位置情報Ｘａ及び位置情報Ｘａの送信元である通信端末５の端末識別情報Ａ）が順に配列された状態になっている。
【０１９２】
次に、ゲートウェイ７の有線通信制御部８０における送受信部８１は、位置情報管理システム９に対して、上記ステップＳ６５によって作成されたデータ構造の情報を送信する（ステップＳ６６）。これによって、位置情報管理システム９の送受信部９１は、ゲートウェイ７から送信されてきた情報を受信する。
【０１９３】
次に、位置情報管理システム９の記憶・読出部９８は、記憶部９９に予め記憶されている端末識別情報Ａに対して、位置情報Ｘ等を受信した受信日時の情報及び位置情報Ｘａを関連付け、図１６に示されているような管理情報Ｆとして記憶することで、位置情報の管理処理を行う（ステップＳ６７）。
【０１９４】
以上のように、位置情報管理システム９が管理情報Ｆを管理することで、位置情報管理システム９の管理者は、屋内αにおける通信端末５の位置を管理することができる。
【０１９５】
続いて、図２８乃至図３２を用い、任意のユーザＵ２が、位置情報管理システム９から居室α内のレイアウトマップを入手して、居室α内のジョブ処理装置の混雑状況を把握するための処理を説明する。図２８は、レイアウトマップのデータを送受信する処理を示したシーケンス図である。ここで、図１に示されているように、管理対象物４ｈ（モバイル端末）は、情報処理端末の一例であり、通信端末５ｈの機能が搭載されている。即ち、管理対象物４ｈは、情報処理端末でもあり、通信端末でもある。管理対象物４ｇ（パソコン）は、情報処理端末の一例であり、通信端末５ｇの機能が搭載されている。即ち、管理対象物４ｇは、情報処理端末でもあり、通信端末でもある。
【０１９６】
また、ここでは、ユーザＵ１が、管理対象物４ｈ（モバイル端末）を有しており、ユーザＵ２が、管理対象物５ｇ（パソコン）を有している。そして、以下では、ユーザＵ１が管理対象物４ｈを用いて所定の印刷データの印刷予約を行った後に、図２９に示されているように、所望の管理対象物４ｅ（ＭＦＰ）に近寄って、印刷を行う場合について説明する。なお、図２９は、配信装置が位置情報を配信可能な所定エリア（領域）内に、ジョブ処理装置及びユーザが入っている場合のイメージ図である。また、管理対象物４ｅ（ＭＦＰ）は、ジョブ処理装置の一例である。
【０１９７】
まず、図２８に示されているように、ユーザＵ１の通信端末５ｈは、他の通信端末５と同様に、最寄の配信装置３から受信した位置情報Ｘｈ、及び自端末の端末識別情報Ａｈを、配信元の配信装置３に送信することで、配信装置３が通信ネットワーク８を介して、位置情報管理システム９に、位置情報Ｘｈ及び端末識別情報Ａｈを送信する（ステップＳ１０１）。これにより、位置情報管理システム９の送受信部９１は、位置情報Ｘｈ及び端末識別情報Ａｈを受信する。そして、記憶・読出部９８が、端末識別情報Ａに基づいて、位置情報管理テーブルＦに、位置情報Ｘｈ及び受信日時を記憶する（ステップＳ１０２）。この受信日時は、送受信部９１が、上述の位置情報Ｘｈ及び端末識別情報Ａｈを受信した日時である。このステップ（Ｓ１０１，Ｓ１０２）の処理は、モバイル端末等のように移動することが多い通信端末の場合には、一定時間おき（例えば、５秒おき）に実行される。
【０１９８】
また、ユーザＵ１が、管理対象物４ｈを用いて、ジョブ処理管理システム６に、ジョブ処理の予約を行う（ステップＳ１０３）。ここでは、ジョブ処理として、印刷の場合について説明する。このジョブ処理の予約には、印刷データ及び端末識別情報Ａｈが含まれている。これにより、ジョブ処理管理システム６の送受信部６１が、ジョブ処理の予約を受け付ける。そして、記憶・読出部６８は、印刷データ管理テーブルＫに、端末識別情報Ａｈ、印刷データのファイル名、及び印刷の処理量情報を関連付けて記憶する（ステップＳ１０４）。
【０１９９】
一方、ユーザＵ２は、居室α内で、一番空いているジョブ処理装置を探すため、管理対象物４ｇを用いて、位置情報管理システム９に、レイアウトマップのデータを要求する（ステップＳ１０５）。これにより、位置情報管理システム９の送受信部９１は、レイアウトマップのデータの要求を受け付ける。この要求には、ユーザＵ２が必要としているレイアウトマップに係る棟と階数が含まれている。
【０２００】
次に、位置情報管理システム９は、ジョブ処理装置と通信可能な配信装置の配信エリア内におけるユーザＵ１の通信端末を検索する処理を行う（ステップＳ１０６）。ここでは、図２９に示されているように、ジョブ処理装置の一例としての管理対象物（ＭＦＰ）４ｅと通信可能な配信装置３の配信エリア（ジョブ処理装置が設置されているエリア）内に、印刷予約を行ったユーザＵ１が管理対象物４ｈ（通信端末５ｈ）を持った状態で入った場合に、位置情報管理システム９が行う処理について、図３０を用いて、更に詳細に説明する。なお、図３０は、ジョブ処理装置と通信可能な配信装置の配信範囲内におけるユーザの通信端末を検索する処理を示したフローチャートである。
【０２０１】
まず、位置情報管理システム９の記憶・読出部９８は、上記ステップＳ１０５によって受信された「棟」及び「階数」に基づいて、位置情報管理テーブルＦを検索することにより、「棟」及び「階数」の組に関連付けて管理されている端末識別情報Ａ及び位置情報Ｘを全て読み出す（ステップＳ２０１）。
【０２０２】
次に、判断部９３は、上記ステップＳ２０１によって読み出された全ての位置情報Ｘのうち、ジョブ処理を行うジョブ処理装置の位置の管理に用いられる第１の通信端末（例えば、通信端末５ｅ）の位置を示す第１の位置情報と、ユーザＵ１の位置の管理に用いられる第２の通信端末（例えば、通信端末５ｈ）の位置を示す第２の位置情報とが同じかを判断する。（ステップＳ２０２）。この際、判断部９３は、上記ステップＳ２０１によって読み出された全ての端末識別情報Ａのそれぞれに基づいて、管理対象管理テーブルＧ（図１７参照）を検索することにより、端末識別情報Ａの通信端末５の通信によって位置が管理される管理対象がユーザであるか、ＭＰＦ等のジョブ処理装置であるかを判断する。これにより、判断部９３は、ジョブ処理装置の位置と同じ位置（エリア）に入っているユーザを検出することができる。
【０２０３】
次に、上記ステップＳ２０２によって、第１の位置情報と第２の位置情報とが同じであると判断された場合には、後述のステップＳ１０７の処理へ進み、同じでないと判断された場合には、後述のステップＳ１１１の処理へ進む。なお、ここでは、同じであると判断された場合について、以下、続けて説明する。
【０２０４】
送受信部９１は、ジョブ処理管理システム６に対して、予約状況情報を要求する（ステップＳ１０７）。これにより、ジョブ処理管理システム６の送受信部６１は、予約状況情報の要求を受け付ける。
【０２０５】
この予約状況情報は、図２９に示されているように、通信端末５ｈを有するユーザＵ１が管理対象物（ジョブ処理装置）５ｅに近づいた場合に、このユーザＵ１が、ジョブ処理の予約を行っていたか否かの判断に利用される情報であり、予約の有無を示す情報である。また、予約状況情報の要求には、上記ステップＳ２０２で、ジョブ処理装置の位置と同じ位置（エリア）に入っていると判断されたユーザＵ１の第２の通信端末の端末識別情報Ａ（ここでは、端末識別情報Ａｈ）が含まれている。
【０２０６】
次に、記憶・読出部６８は、ステップＳ１０９によって受信された端末識別情報Ａｈに基づいて、印刷データ管理テーブルＫ（図２０参照）を検索することにより、対応する処理量情報を読み出す（ステップＳ１０８）。そして、送受信部６１は、位置情報管理システム９に、予約状況情報を送信する（ステップＳ１０９）。これにより、位置情報管理システム９の送受信部９１は、予約状況情報を受信する。
【０２０７】
この予約状況情報は、予約の有無を示す情報である。また、予約状況情報が、ユーザＵ１による予約が行われていた旨を示す場合には、予約状況情報には、上記ステップＳ１０７によって送られて来た端末識別情報Ａｈ及び上記ステップＳ１０８によって読み出された処理量情報が含まれている。一方、予約状況情報がが、ユーザＵ１による予約が行われていなかった旨を示す場合には、予約状況情報には、上記ステップＳ１０７によって送られて来た端末識別情報Ａｈが含められるが、処理量情報は含まれない。なお、ここでは、予約が行われていた場合について、以下、引き続き説明する。
【０２０８】
次に、位置情報管理システム９は、レイアウトマップへアイコンを割り当てる処理を行う（ステップＳ１１０）。ここで、図３１を用いて、ステップＳ１１０を更に詳細に説明する。なお、図３１は、レイアウトマップにアイコンを割り当てる処理を示したフローチャートである。
【０２０９】
まず、判断部９３は、上記ステップＳ１０９によって受信された予約状況情報に基づいて、ジョブ処理（ここでは、印刷）が予約されているか否かを判断する（ステップＳ３０１）。ここでは、予約されているものとして（ＹＥＳ）、次に、記憶・読出部９８は、上記ステップＳ１０９によって受信された処理量情報に基づいて、視覚情報管理テーブルＪ１（図１９（Ａ）参照）を検索することにより、対応する矩形のジョブアイコン（第１の視覚情報の一例）のデータを読み出す（ステップＳ３０２）。
【０２１０】
次に、記憶・読出部９８は、視覚情報管理テーブルＪ２（図１９（Ｂ）参照）から、レイアウトマップのデータの要求元のユーザＵ２以外の他のユーザを示す人型アイコン（第２の視覚情報の一例）のデータを読み出す（ステップＳ３０３）。更に、記憶・読出部９８は、視覚情報管理テーブルＪ２（図１９（Ｂ）参照）から、レイアウトマップのデータの要求元であるユーザＵ２を示す人型アイコン（第２の視覚情報の一例）、及びジョブ処理装置を示す装置型アイコン（第３の視覚情報の一例）のデータを読み出す（ステップＳ３０４）。
【０２１１】
次に、記憶・読出部９８は、記憶部９９から、上述の「棟」及び「階数」に基づいて、レイアウトマップのデータを読み出す（ステップＳ３０５）。そして、割当部９５は、上記ステップＳ３０５によって読み出されたデータに係るレイアウトマップ上に、位置情報管理テーブルＦ（図１６参照）で管理されている現在の位置情報Ｘに基づいて、上記ステップＳ３０２〜Ｓ３０４によって読み出された各アイコンを割り当てる（ステップＳ３０６）。
【０２１２】
一方、上記ステップＳ３０１において、予約が行われていなかったと判断された場合には、判断部９３は、更に、一定時間（例えば、５秒）経過しても、送受信部９１が同じ端末識別情報Ａｈ及び位置情報Ｘを受信し続けているか否かを判断する（ステップＳ３０７）。ここで、一定時間経過しても、送受信部９１が同じ端末識別情報Ａｈ及び位置情報Ｘを受信し続けている場合には、ユーザＵ１が、管理対象物（ジョブ処理装置）５ｅ付近にい続けているため、ユーザＵ１には管理対象物（ジョブ処理装置）５ｅを利用する意思があると推測することができる。そこで、上記ステップＳ３０７において、一定時間経過しても、送受信部９１が同じ端末識別情報Ａｈ及び位置情報Ｘを受信し続けている場合には（ＹＥＳ）、上記ステップＳ３０３の処理に進み、３種類のアイコンのうち、ジョブアイコンを表示しないが、人型アイコン及び装置型アイコンを表示するに至る。ここで、管理対象物（ジョブ処理装置）５ｅを利用する例としては、コピー、スキャン、ＦＡＸ等の処理が挙げられる。
【０２１３】
また、一定時間経過に、送受信部９１が同じ端末識別情報Ａｈ及び位置情報Ｘを受信していない場合には（ＮＯ）、ユーザＵ１が、管理対象物（ジョブ処理装置）５ｅ付近におらず、単に通り過ぎているため、ユーザＵ１には管理対象物（ジョブ処理装置）５ｅを利用する意思がないと推測することができる。そこで、上記ステップＳ３０７において、一定時間経過後に、送受信部９１が同じ端末識別情報Ａｈ及び位置情報Ｘを受信していない場合には（ＹＥＳ）、上記ステップＳ３０４の処理に進み、３種類のアイコンのうち、装置型アイコンのみを表示するに至る。
【０２１４】
続いて、図２８に戻り、位置情報管理システム９の送受信部９１は、レイアウトマップの要求元である管理対象物４ｇに対して、アイコンが割り当てられたレイアウトマップのデータを送信する（ステップＳ１１１）。これにより、管理対象物４ｇはレイアウトマップのデータを受信する。そして、管理対象物４ｇは、ディスプレイ９０８上に、図３２に示されているようなレイアウトマップを表示させる。なお、図３２は、レイアウトマップを示した図である。
【０２１５】
ここでは、図３２に示されているように、Ａ棟３Ｆのレイアウト図上に、各ジョブ処理装置を示す装置型アイコンが表示されていると共に、レイアウトマップのデータを要求したユーザを示す人型アイコンが表示されている。更に、各ジョブ処理装置に関しては、別途、下側にジョブ処理装置の装置型アイコン毎に、ジョブ処理装置の周辺に一定時間以上いるユーザを示す人型アイコン及び印刷予約されたジョブの処理量情報を示すジョブアイコンが表示される。また、装置型アイコンの近傍に表示されている「ＭＦＰ１」等の名称は、管理対象管理テーブルＧ（図１７参照）で管理されている「管理対象名」が用いられる。
【０２１６】
以上より、本実施形態によれば、判断部９３は、第１の判断として、ジョブ処理を行うジョブ処理装置（管理対象物４ｅが一例）の位置の管理に用いられる第１の通信端末（通信端末５ｅが一例）の位置を示す第１の位置情報と、ユーザの位置の管理に用いられる第２の通信端末（通信端末５ｈが一例）の位置を示す第２の位置情報が同じか否かにより、ジョブ処理装置が設置されているエリア（図２９に示されている配信エリア）内にユーザが入っているか否かを判断する（ステップＳ２０２）。更に、判断部９３は、第２の判断として、ユーザがエリア内に入っていると判断した場合に、ユーザによるジョブ処理の予約状況を示す予約状況情報に基づき、ユーザによるジョブ処理の予約が行われていたかを判断する（ステップＳ３０１）。そして、判断部９３によって予約が行われていたと判断された場合には、割当部９５は、第１又は第２の位置情報に基づき、ジョブ処理装置が設置されているエリアを含んだレイアウトマップ上に、上記予約が行われたジョブ処理を示す第１の視覚情報（矩形のジョブアイコンが一例）を割り当てる。これにより、位置情報管理システム９は、ユーザＵ１がジョブ処理装置のエリア内に入った場合であっても、ユーザＵ１がジョブ処理の予約を行っていた場合に、レイアウトマップ上に第１の視覚情報を割り当てるため、他のユーザＵ２にジョブ処理装置の混雑をより正確に伝えることができるという効果を奏する。
【０２１７】
また、上記ステップＳ３０１によってジョブ処理の予約が行われていなかったと判断された場合であっても、上記ステップＳ３０７によって、一定時間ユーザＵ１が図２９に示されている配信エリア内に留まっていると判断された場合には、ユーザＵ１はコピー、ＦＡＸ又はスキャン等のために、ジョブ処理装置の近傍にいると推測することができるため、レイアウトマップ上に、人型アイコンが表示される。これにより、他のユーザＵ２にジョブ処理装置の混雑をより正確に伝えることができるという効果を奏する。
【０２１８】
なお、位置情報管理システム９は、単一のコンピュータによって構築されてもよいし、各部（機能、手段、又は記憶部）を分割して任意に割り当てられた複数のコンピュータによって構築されていてもよい。
【０２１９】
また、上記実施形態の各プログラムが記憶されたＣＤ−ＲＯＭ等の記録媒体、並びに、これらプログラムが記憶されたハードディスクは、いずれもプログラム製品(Program Product)として、国内又は国外へ提供されることができる。
【０２２０】
また、上記実施形態の各プログラムが記憶されたＣＤ−ＲＯＭ等の記録媒体、並びに、これらプログラムが記憶されたハードディスクは、いずれもプログラム製品(Program Product)として、国内又は国外へ提供されることができる。
【符号の説明】
【０２２１】
１  位置管理システム
２  電気機器
３  配信装置
４  管理対象物
５  通信端末
６  ジョブ処理管理システム
７  ゲートウェイ
８  通信ネットワーク
９  位置情報管理システム
１０  変換部
２０  配信制御部
２１  配信部
２９  記憶部
３０  無線通信制御部
３１  送受信部
４０  受信制御部
４１  受信部
４２  検知部
４３  判断部
４４  測定部
４９  記憶部
５０  無線通信制御部
５１  送受信部
５３  判断部
５４  測定部
５９  記憶部
６２  検知部
６３  判断部
６４  測定部
６５  送受信部
６６  判断部
６７  測定部
６９  記憶部
９１  送受信部（要求手段の一例、受信手段の一例、受付手段の一例、送信手段の一例）
９２  操作入力受付部
９３  判断部（第１の判断手段の一例、第２の判断手段の一例）
９４  表示制御部
９５  割当部（割当手段の一例）
９８  記憶・読出部（読出手段の一例）
９９  記憶部（記憶手段の一例）
【先行技術文献】
【特許文献】
【０２２２】
【特許文献１】特開２００７−２４９９３９号公報
【特許文献２】特開２０１１−１４５８７３号公報
【図１】
2015001883.tif 000003
【図２】
2015001883.tif 000004
【図３】
2015001883.tif 000005
【図４】
2015001883.tif 000006
【図５】
2015001883.tif 000007
【図６】
2015001883.tif 000008
【図７】
2015001883.tif 000009
【図８】
2015001883.tif 000010
【図９】
2015001883.tif 000011
【図１０】
2015001883.tif 000012
【図１１】
2015001883.tif 000013
【図１２】
2015001883.tif 000014
【図１３】
2015001883.tif 000015
【図１４】
2015001883.tif 000016
【図１５】
2015001883.tif 000017
【図１６】
2015001883.tif 000018
【図１７】
2015001883.tif 000019
【図１８】
2015001883.tif 000020
【図１９】
2015001883.tif 000021
【図２０】
2015001883.tif 000022
【図２１】
2015001883.tif 000023
【図２２】
2015001883.tif 000024
【図２３】
2015001883.tif 000025
【図２４】
2015001883.tif 000026
【図２５】
2015001883.tif 000027
【図２６】
2015001883.tif 000028
【図２７】
2015001883.tif 000029
【図２８】
2015001883.tif 000030
【図２９】
2015001883.tif 000031
【図３０】
2015001883.tif 000032
【図３１】
2015001883.tif 000033
【図３２】
2015001883.tif 000034